(57)【要約】【課題】  携帯機器への装着位置関係を適切なものとして、使用者に携帯機器のカメラ部を用いて通常とは画角の異なる撮像を正確且つ容易に行わせることができる、コンバージョンレンズ装置を提供する。【解決手段】  光学レンズを有して携帯機器９０のカメラ部前側に取付けられる本体部１０に、突出部１４ａが突出形成されると共に、本体部１０に対し位置調整可能として当接体１７が配設され、当接体１７の位置調整で当接体１７に対する突出部１４ａの相対突出量を調整可能とし、突出部１４ａの先端がカメラ部の保護カバーに当接する状態で、当接体１７を携帯機器筐体表面に当接するよう位置調整できることから、カメラ部の保護カバーが機器筐体面に対し奥まった位置でも、突出部１４ａを保護カバーに確実に当接させて、突出部１４ａに対し固定された光学レンズとカメラ部との位置関係を正しく設定でき、コンバージョンレンズとして適切に使用できる。【選択図】  図１
2015055750.tif 000002
【特許請求の範囲】
【請求項１】
カメラ付きの携帯機器に取り付けてカメラの画角を変化させるコンバージョンレンズ装置において、
コンバージョンレンズをなす一又は複数の光学レンズ、及び、撮像対象物と携帯機器のカメラ部とにそれぞれ面して前記光学レンズへの光路となる複数の窓部を形成されつつ光学レンズを内蔵支持する支持ケース、を少なくとも有する本体部と、
前記本体部の携帯機器側で本体部に対し前記光学レンズの光軸と平行な向きに移動可能として配設され、携帯機器におけるカメラ部のある側の筐体表面に当接可能な当接体と、
前記本体部に少なくとも一部を連結され、少なくとも他の一部が携帯機器のカメラ部以外の所定表面部位に接触又は固着状態とされ、本体部を携帯機器のカメラ部に押し付けるようにして本体部を携帯機器のカメラ部前方に固定する固定具とを備え、
前記本体部の支持ケースのうち、携帯機器のカメラ部側に面する前記窓部の近傍部分は、窓部を中心として光学レンズの光軸と平行な向きに突出する略筒状の突出部とされ、
当該突出部の先端は、カメラ部における最外部の対物レンズ又は透明保護カバー前面に前記窓部を位置させつつ、前記対物レンズ又は保護カバー、若しくは筐体表面に当接可能とされて配置され、
前記当接体は、前記突出部周囲に配置され、本体部に対する位置調整で、当接体に対する突出部の相対突出量を調整可能とされることを
特徴とするコンバージョンレンズ装置。
【請求項２】
前記請求項１に記載のコンバージョンレンズ装置において、
前記本体部の突出部が、光学レンズの光軸を中心軸とする円筒状に形成されると共に、円筒外周部に雄ねじを形成されてなり、
前記当接体は、雌ねじを有して前記突出部に螺合し、突出部に対し螺動して位置調整可能とされることを
特徴とするコンバージョンレンズ装置。
【請求項３】
前記請求項２に記載のコンバージョンレンズ装置において、
前記当接体が、前記光学レンズの光軸と略直交する携帯機器筐体表面への当接面を有する略板状体で形成され、
前記本体部の支持ケースにおける、当接体近傍部分の一部に段差を設けて、当接体の前方で当接体外周部と支持ケースとの間に所定の空間を生じさせることを
特徴とするコンバージョンレンズ装置。
【請求項４】
前記請求項３に記載のコンバージョンレンズ装置において、
前記本体部の支持ケースにおける、突出部の近傍部分が、周囲の他部分との間に段差を有する筒形状で、且つ後方から見て、当接体の外周部より小さく形成されることを
特徴とするコンバージョンレンズ装置。
【請求項５】
前記請求項３又は４に記載のコンバージョンレンズ装置において、
前記本体部における当接体及び突出部の各近傍部分を除く部位の形状が、後方から見た本体部の外郭線を、当接体の外周部より外側に位置させる形状として形成されることを
特徴とするコンバージョンレンズ装置。
【請求項６】
前記請求項５に記載のコンバージョンレンズ装置において、
前記当接体の外周部が、周方向に複数の凹凸が配置される形状とされることを
特徴とするコンバージョンレンズ装置。
【請求項７】
前記請求項１ないし６のいずれかに記載のコンバージョンレンズ装置において、
前記当接体における少なくとも携帯機器のカメラ部のある面に対向する面の所定箇所に、携帯機器の筐体表面より軟質で且つ変形、復元可能な弾性材を、携帯機器と接触可能に配設することを
特徴とするコンバージョンレンズ装置。
【請求項８】
前記請求項１ないし７のいずれかに記載のコンバージョンレンズ装置において、
前記固定具が、前記本体部に一端部を連結され、他端部が携帯機器のカメラ部のある側とは反対側の面に接して、本体部と前記他端部との間に携帯機器を挟持する状態となって、本体部を携帯機器のカメラ部前方に保持する弾性部材とされてなることを
特徴とするコンバージョンレンズ装置。
【請求項９】
前記請求項８に記載のコンバージョンレンズ装置において、
前記固定具の他端部に、固定具の他部分に対し位置調整可能とされる調整体が配設され、前記携帯機器のカメラ部のある側とは反対側の面に調整体を当接させることを
特徴とするコンバージョンレンズ装置。
【請求項１０】
前記請求項８又は９に記載のコンバージョンレンズ装置において、
前記固定具の一端部と他端部との間の中間位置に、当接体の外周形状と複数箇所で一致する内周形状を有する環状部を配設することを
特徴とするコンバージョンレンズ装置。
【請求項１１】
前記請求項８ないし１０のいずれかに記載のコンバージョンレンズ装置において、
前記本体部の支持ケースが、前記光学レンズをレンズ光軸を中心として取り囲む筒状部を少なくとも有して、光学レンズを直接支持するバレル部と、当該バレル部の筒状部の外側に位置して、光学レンズに対し携帯機器側となる部位に光をレンズ光軸と平行に透過可能として配設される副支持部材と、前記バレル部及び副支持部材と係合一体化する主支持部材とを有し、
前記副支持部材が、レンズ光軸とは異なる向きとなる外方に突出形成され、前記主支持部材の所定表面部位と所定間隔をなす突出片を有し、
前記固定具の一端部が、副支持部材の突出片と主支持部材との間に挟持されて、本体部への取付一体化状態とされることを
特徴とするコンバージョンレンズ装置。
【請求項１２】
前記請求項１に記載のコンバージョンレンズ装置において、
前記本体部の支持ケースが、前記光学レンズをレンズ光軸を中心として取り囲む筒状部を少なくとも有して、光学レンズを直接支持するバレル部と、当該バレル部の筒状部の外側に位置して、光学レンズに対し携帯機器側となる部位に光をレンズ光軸と平行に透過可能として配設される副支持部材と、前記バレル部及び副支持部材と係合一体化する主支持部材とを有し、
前記突出部が、前記副支持部材の一部として、光学レンズの光軸と平行な向きに突出する円筒体として形成され、円筒外周部に雄ねじを形成されてなり、
前記当接体は、雌ねじを有して前記突出部に螺合し、突出部に対し螺動して位置調整可能とされることを
特徴とするコンバージョンレンズ装置。
【請求項１３】
前記請求項８ないし１０のいずれかに記載のコンバージョンレンズ装置において、
前記当接体の厚みが、前記固定具が荷重を加わえられず当初形状を維持した状態における、固定具他端部と前記本体部の突出部との間に生じる隙間の大きさより大きくされることを
特徴とするコンバージョンレンズ装置。
【発明の詳細な説明】
【技術分野】
【０００１】
本発明は、カメラの対物レンズ側に取り付けてカメラの画角を変化させるコンバージョンレンズ装置に関する。
【背景技術】
【０００２】
携帯電話やスマートフォン等の携帯機器には、カメラが搭載されていることが多い。こうした携帯機器の場合、機器の大きさの関係でカメラの搭載スペースが限られていることから、通常、カメラは必要最小限の大きさとされており、画角をいわゆる広角側や望遠側へ大きく変化させられる調整機構を併設することは難しかった。このため、携帯機器のカメラで調整可能な範囲を超える望遠撮影や広角撮影を行いたい場合には、コンバージョンレンズを用いる必要がある。
【０００３】
ただし、携帯機器は、一般的なカメラのように、コンバージョンレンズを容易に取付けられる構造とはなっていないことから、コンバージョンレンズの取付けには補助的な機構が必要となる。こうした補助的な機構を併用して、コンバージョンレンズを携帯機器に着脱可能に取り付けられるようにしたものが、従来から種々提案されている。このような補助的な機構を含むコンバージョンレンズ装置の一例としては、登録実用新案第３１０７０２５号公報や特開２０１２−８２８３号公報に開示されるものがある。
【先行技術文献】
【特許文献】
【０００４】
【特許文献１】登録実用新案第３１０７０２５号公報
【特許文献２】特開２０１２−８２８３号公報
【発明の概要】
【発明が解決しようとする課題】
【０００５】
従来のカメラ付き携帯機器用のコンバージョンレンズは前記各特許文献に示される構成となっており、レンズをカメラ前面に保持でき、特に、補助レンズにおけるカメラ側への当接部分は、弾性部材からなるリング部材又は滑り止めリングを介して携帯電話機の表面に当接するようになっており、安定した支持が期待できるものとなっている。
【０００６】
ただし、カメラの最外面にある透明保護カバー又は対物レンズが、携帯電話機におけるレイアウトの関係上、その周囲の筐体面に対し凹状に奥まった状態に配置される場合、補助レンズは保護カバー又は対物レンズと接するとは限らない。仮に補助レンズが保護カバー又は対物レンズと接触せず、これらと補助レンズとの正確な位置関係が確保できない場合、焦点がずれて撮像に支障をきたすなど、撮像を正確に行えなくなるという課題を有していた。
【０００７】
本発明は前記課題を解消するためになされたもので、携帯機器への装着位置関係を適切なものとして、使用者に携帯機器のカメラ部を用いて通常とは画角の異なる撮像を正確且つ容易に行わせることができ、使用者の意図に沿った適切な撮像画像が得られるようにする、コンバージョンレンズ装置を提供することを目的とする。
【課題を解決するための手段】
【０００８】
本発明の開示するコンバージョンレンズ装置は、カメラ付きの携帯機器に取り付けてカメラの画角を変化させるコンバージョンレンズ装置において、コンバージョンレンズをなす一又は複数の光学レンズ、及び、撮像対象物と携帯機器のカメラ部とにそれぞれ面して前記光学レンズへの光路となる複数の窓部を形成されつつ光学レンズを内蔵支持する支持ケース、を少なくとも有する本体部と、前記本体部の携帯機器側で本体部に対し前記光学レンズの光軸と平行な向きに移動可能として配設され、携帯機器におけるカメラ部のある側の筐体表面に当接可能な当接体と、前記本体部に少なくとも一部を連結され、少なくとも他の一部が携帯機器のカメラ部以外の所定表面部位に接触又は固着状態とされ、本体部を携帯機器のカメラ部に押し付けるようにして本体部を携帯機器のカメラ部前方に固定する固定具とを備え、前記本体部の支持ケースのうち、携帯機器のカメラ部側に面する前記窓部の近傍部分は、窓部を中心として光学レンズの光軸と平行な向きに突出する略筒状の突出部とされ、当該突出部の先端は、カメラ部における最外部の対物レンズ又は透明保護カバー前面に前記窓部を位置させつつ、前記対物レンズ又は保護カバー、若しくは筐体表面に当接可能とされて配置され、前記当接体は、前記突出部周囲に配置され、本体部に対する位置調整で、当接体に対する突出部の相対突出量を調整可能とされるものである。
【０００９】
このように本発明の開示によれば、コンバージョン用の光学レンズを有して携帯機器のカメラ部前側に取付けられる本体部の携帯機器側に、突出部が光学レンズとの位置関係を固定として突出形成されると共に、本体部に対し位置調整可能として当接体が配設され、当接体の位置調整で当接体に対する突出部の相対突出量を調整可能とし、突出部の先端がカメラ部の対物レンズ又は保護カバー、若しくはこれらの周囲の携帯機器筐体表面に当接する状態で、突出部周囲の当接体を、筐体表面に当接するよう位置調整できることにより、携帯機器のカメラ部の保護カバー又は対物レンズが機器筐体面に対し凹んだ位置又は突出した位置となっていても、筐体面に接触する当接体と突出部との配置関係を調整して、突出部を保護カバー又は対物レンズに確実に当接させて、突出部に対し固定された位置にある光学レンズとカメラ部との位置関係を正しく設定でき、様々なカメラ部を有する携帯機器のいずれに対してもコンバージョンレンズとして適切な使用が可能となる。また、当接体が携帯機器筐体に当接することで、装置全体で携帯機器との接触面積を確保して、本体部の安定した支持が可能であり、携帯機器に対する本体部のがたつきを抑え、本体部を通じた携帯機器での撮像を正確に行える。この他、カメラ部全体が一様な平坦形状となる中、保護カバー又は対物レンズが突出部より小さい形状である場合には、突出部の先端が保護カバー又は対物レンズの周囲の筐体表面に当接することになるが、この場合でも当接体と突出部との配置関係調整により当接体を携帯機器筐体に当接させて、装置全体で携帯機器との接触面積を確保でき、当接部は携帯機器に対する本体部のがたつきを抑える機能を前記同様に発揮でき、本体部の安定に寄与することとなる。
【００１０】
また、本発明の開示するコンバージョンレンズ装置は必要に応じて、前記本体部の突出部が、光学レンズの光軸を中心軸とする円筒状に形成されると共に、円筒外周部に雄ねじを形成されてなり、前記当接体は、雌ねじを有して前記突出部に螺合し、突出部に対し螺動して位置調整可能とされるものである。
【００１１】
このように本発明の開示によれば、突出部の外周に雄ねじを形成し、当接体には雌ねじを形成して突出部と螺合させ、突出部に対し当接体を螺動させて位置調整可能とすることにより、当接体の突出部に対する光軸方向位置を微調整でき、突出部と当接体の位置関係を、適用する携帯機器に対応する正確なものとすることができると共に、当接体を突出部で支持して当接体の支持構造を簡略化でき、コスト低減が図れる。
【００１２】
また、本発明の開示するコンバージョンレンズ装置は必要に応じて、前記当接体が、前記光学レンズの光軸と略直交する携帯機器筐体表面への当接面を有する略板状体で形成され、前記本体部の支持ケースにおける、当接体近傍部分の一部に段差を設けて、当接体の前方で当接体外周部と支持ケースとの間に所定の空間を生じさせるものである。
【００１３】
このように本発明の開示によれば、本体部の当接体近傍部分に段差を設けて、当接体外周部とその前方の本体部との間に所定の空間が生じるようにして、当接体に指を接触させて指で当接体を操作するにあたって、本体部と指とが接触しにくくすることにより、当接体を指で直接操作して位置調整を行う場合に、当接体の操作が容易となり、操作性を向上させて、当接体の位置調整の精度を高められる。
【００１４】
また、本発明の開示するコンバージョンレンズ装置は必要に応じて、前記本体部の支持ケースにおける、突出部の近傍部分が、周囲の他部分との間に段差を有する筒形状で、且つ後方から見て、当接体の外周部より小さく形成されるものである。
【００１５】
このように本発明の開示によれば、本体部に当接体の外周より小さい筒形状部分を設けて、その周囲部分との間に段差を与え、当接体外周部とその前方の本体部との間を広く空けるようにして、当接体に指を接触させて指で当接体を操作するにあたって、本体部と指とが接触しにくくすることにより、当接体を指で直接操作して位置調整を行う場合に、当接体の操作が容易となり、操作性を向上させて、当接体の位置調整の精度を高められる。
【００１６】
また、本発明の開示するコンバージョンレンズ装置は必要に応じて、前記本体部における当接体及び突出部の各近傍部分を除く部位の形状が、後方から見た本体部の外郭線を、当接体の外周部より外側に位置させる形状として形成されるものである。
【００１７】
このように本発明の開示によれば、本体部形状に伴い、当接体の近傍に空間が生じるようにする一方で、本体部の外郭線が当接体の外縁より外側に位置するようにしたことにより、当接体に指を接触させて指で当接体を直接操作する際の操作性（指と本体部との接触しにくさ）は変えずに、本体部の外郭線より内側の当接体が他のものと接触しにくくなり、非使用時の収納状態や持ち運び状態で当接体が嵩張らず、取扱い性に優れると共に、本体部を携帯機器に装着しての使用状態で、積極的な操作以外で誤って手指等が当接体に触れて当接体が動いてしまうことが起こりにくく、位置調整を経た当接体位置の精度を確保できる。
【００１８】
また、本発明の開示するコンバージョンレンズ装置は必要に応じて、前記当接体の外周部が、周方向に複数の凹凸が配置される形状とされるものである。
【００１９】
このように本発明の開示によれば、当接体の外周に複数の凹凸を形成し、いずれの凹凸もカメラ部側から見て本体部の筒形状部より外側に位置すると共に、本体部の外郭線より内側に位置することにより、当接体に指を接触させて指で当接体を直接操作する際に、当接体の凹凸に指をかけて当接体を動かすことができ、当接体から指が外れにくく、当接体を動かしやすいことに加え、操作の際の指と本体部との接触しにくさを確保して、当接体の操作性を向上させられる。
【００２０】
また、本体部の外郭線より内側にある当接体が他のものと接触しにくいことで、非使用時の収納状態や持ち運び状態で当接体がかさばらず、取扱い性に優れると共に、本体部を携帯機器に装着しての使用状態で、積極的な操作以外で誤って手指等が当接体に触れて当接体が動いてしまうことが起こりにくく、位置調整を経た当接体位置の精度を確保できる。
【００２１】
また、本発明の開示するコンバージョンレンズ装置は必要に応じて、前記当接体における少なくとも携帯機器のカメラ部のある面に対向する面の所定箇所に、携帯機器の筐体表面より軟質で且つ変形、復元可能な弾性材を、携帯機器と接触可能に配設するものである。
【００２２】
このように本発明の開示によれば、当接体の機器筐体との接触部位に弾性材を配設して、弾性材を介して当接体と機器筐体とが接触するようにしておくことにより、当接体等の携帯機器との直接接触を防いで携帯機器の傷付き等損傷を防ぐと共に、当接体の弾性材が携帯機器の表面で弾性変形して表面になじみ、当接体と携帯機器間の隙間を生じさせず確実に密着状態とすることから、携帯機器への本体部の固定をずれなく安定したものとすることができ、撮像を適切に行える。
【００２３】
また、本発明の開示するコンバージョンレンズ装置は必要に応じて、前記固定具が、前記本体部に一端部を連結され、他端部が携帯機器のカメラ部のある側とは反対側の面に接して、本体部と前記他端部との間に携帯機器を挟持する状態となって、本体部を携帯機器のカメラ部前方に保持する弾性部材とされてなるものである。
【００２４】
このように本発明の開示によれば、本体部を携帯機器に固定する手段として弾性部材からなる固定具を設けて、固定具の弾性で固定具の他端部と本体部の間に携帯機器が略クリップ状に挟持される状態が得られるようにすることにより、簡略な構造ながら確実に本体部を携帯機器に固定状態とすることができ、取付操作も容易であり、また、固定具の弾性で携帯機器の機種ごとの厚さ寸法の違いを吸収しつつ、本体部を携帯機器に無理なく固定でき、使い勝手に優れる。
【００２５】
また、本発明の開示するコンバージョンレンズ装置は必要に応じて、前記固定具の他端部に、固定具の他部分に対し位置調整可能とされる調整体が配設され、前記携帯機器のカメラ部のある側とは反対側の面に調整体を当接させるものである。
【００２６】
このように本発明の開示によれば、固定具の携帯機器に接する他端部に位置調整可能な調整体を設け、固定具の調整体と本体部の間に携帯機器が挟持されるようにすることにより、調整体の位置調整で固定具他端部の携帯機器に対する接触の強さを調整でき、固定具の弾性と共に調整部の位置調整で、携帯機器の機種ごとの厚さ寸法の違いにより確実に対応でき、携帯機器の機種によらず、常に適切な保持力を得て本体部を携帯機器に確実に固定できる。
【００２７】
また、本発明の開示するコンバージョンレンズ装置は必要に応じて、前記固定具の一端部と他端部との間の中間位置に、当接体の外周形状と複数箇所で一致する内周形状を有する環状部を配設するものである。
【００２８】
このように本発明の開示によれば、固定具の中間位置に当接体の外周形状と内周形状が一部合う環状部を形成し、当接体操作の際など必要に応じて環状部と当接体外周とを係合可能とすることにより、本体部に対し当接体を動かす際に環状部を当接体外周に係合すれば、固定具を介して当接体に力を加えやすく、当接体を動かす操作が容易に行え、固着等が原因で指のみの操作では当接体を動かしにくいような場合に、固定具を一種の治具として補助的に用いて当接体の操作を無理なく行うことができ、操作性を向上させられる。加えて、環状部を当接体に係合させて操作補助に使用する時以外は通常の固定具として用いることができ、本体部とは別に持ち運んだり収納する必要もなく、紛失等も起こりにくく使い勝手の点でも優れる。
【００２９】
また、本発明の開示するコンバージョンレンズ装置は必要に応じて、前記本体部の支持ケースが、前記光学レンズをレンズ光軸を中心として取り囲む筒状部を少なくとも有して、光学レンズを直接支持するバレル部と、当該バレル部の筒状部の外側に位置して、光学レンズに対し携帯機器側となる部位に光をレンズ光軸と平行に透過可能として配設される副支持部材と、前記バレル部及び副支持部材と係合一体化する主支持部材とを有し、前記副支持部材が、レンズ光軸とは異なる向きとなる外方に突出形成され、前記主支持部材の所定表面部位と所定間隔をなす突出片を有し、前記固定具の一端部が、副支持部材の突出片と主支持部材との間に挟持されて、本体部への取付一体化状態とされるものである。
【００３０】
このように本発明の開示によれば、本体部をバレル部と副支持部材、主支持部材とで形成し、副支持部材の突出片と主支持部材との間に固定具の一端部を挟持して、固定具を本体部側に固定一体化状態とすることにより、固定具を用いて本体部を携帯機器に取り付ける際に、弾性変形する固定具の歪みが副支持部材に伝わったとしても、バレル部及びこれに支持される光学レンズに伝わりにくく、光学レンズの支持精度及び形状精度への悪影響を避けられ、弾性変形する固定具を使用してもコンバージョンレンズとしての光学的性能を確実に維持できる。
【００３１】
また、本発明の開示するコンバージョンレンズ装置は必要に応じて、前記本体部の支持ケースが、前記光学レンズをレンズ光軸を中心として取り囲む筒状部を少なくとも有して、光学レンズを直接支持するバレル部と、当該バレル部の筒状部の外側に位置して、光学レンズに対し携帯機器側となる部位に光をレンズ光軸と平行に透過可能として配設される副支持部材と、前記バレル部及び副支持部材と係合一体化する主支持部材とを有し、前記突出部が、前記副支持部材の一部として、光学レンズの光軸と平行な向きに突出する円筒体として形成され、円筒外周部に雄ねじを形成されてなり、前記当接体は、雌ねじを有して前記突出部に螺合し、突出部に対し螺動して位置調整可能とされるものである。
【００３２】
このように本発明の開示によれば、本体部の一部をなす副支持部材に携帯機器のカメラ部側への突出部を設け、この突出部の外周に設けた雄ねじ部に当接体の雌ねじを螺合させて、当接体を突出部上に位置調整可能に支持することにより、当接体を螺動させて突出部（及び携帯機器）に対し位置を調整する際に、当接体側から突出部に加わる歪みや衝撃などの力がバレル部及びこれに支持される光学レンズに伝わりにくく、光学レンズの支持精度及び形状精度への悪影響を避けられ、当接体の位置を調整してもコンバージョンレンズとしての光学的性能を確実に維持できる。
【００３３】
また、本発明の開示するコンバージョンレンズ装置は必要に応じて、前記当接体の厚みが、前記固定具が荷重を加わえられず当初形状を維持した状態における、固定具他端部と前記本体部の突出部との間に生じる隙間の大きさより大きくされるものである。
【００３４】
このように本発明の開示によれば、当接体の厚さを、携帯機器に取付ける前の、荷重が加わえられず当初形状を維持した未変形状態の固定具他端部と本体部突出部との間の隙間より大きくし、固定具に力が加わえて変形させない限り、固定具他端部と本体部突出部との間の隙間を、突出部から取り外した当接体が通り抜けられないようにすることにより、携帯機器への取付け前に、当接体の操作を誤って突出部から当接体が外れてしまった場合でも、固定具他端部と本体部突出部との間の隙間を、この隙間より厚い当接体が抜け落ちてしまうことはなく、当接体の落下を未然に防いで紛失等の危険を排除できると共に、突出部から外れてもその近傍に留まる当接体を、突出部と係合した状態に容易に戻すことができ、当接体の位置調整の作業性を高められる。
【図面の簡単な説明】
【００３５】
【図１】本発明の第１の実施形態に係るコンバージョンレンズ装置の斜視図である。
【図２】本発明の第１の実施形態に係るコンバージョンレンズ装置の正面図である。
【図３】本発明の第１の実施形態に係るコンバージョンレンズ装置の背面図である。
【図４】本発明の第１の実施形態に係るコンバージョンレンズ装置の右側面図である。
【図５】本発明の第１の実施形態に係るコンバージョンレンズ装置の平面図である。
【図６】本発明の第１の実施形態に係るコンバージョンレンズ装置の底面図である。
【図７】図２のＡ−Ａ断面図である。
【図８】図２のＢ−Ｂ断面図である。
【図９】本発明の第１の実施形態に係るコンバージョンレンズ装置の正面視における携帯機器への取付状態説明図である。
【図１０】本発明の第１の実施形態に係るコンバージョンレンズ装置の側面視における携帯機器への取付状態説明図である。
【図１１】本発明の第１の実施形態に係るコンバージョンレンズ装置における突出部の携帯機器への当接状態説明図である。
【図１２】本発明の第１の実施形態に係るコンバージョンレンズ装置における突出部の当接体からの相対突出量縮小状態説明図である。
【図１３】本発明の第１の実施形態に係るコンバージョンレンズ装置における突出部の当接体からの相対突出量増大状態説明図である。
【図１４】本発明の第１の実施形態に係るコンバージョンレンズ装置における肌側筒状部先端凸部の肌接触時の肌食い込み状態説明図である。
【図１５】本発明の第１の実施形態に係るコンバージョンレンズ装置に対する比較例としての肌側筒状部先端に凸部がない場合の肌食い込み状態説明図である。
【図１６】本発明の第１の実施形態に係るコンバージョンレンズ装置の肌への当接直前状態説明図である。
【図１７】本発明の第１の実施形態に係るコンバージョンレンズ装置の肌への当接状態説明図である。
【図１８】本発明の第１の実施形態に係るコンバージョンレンズ装置の肌当接時における肌側筒状部先端の周方向凹凸形状による肌変形緩和状態説明図である。
【図１９】本発明の第１の実施形態に係る他のコンバージョンレンズ装置の肌当接時における肌側筒状部先端の周方向凹凸形状による肌変形緩和状態説明図である。
【図２０】本発明の第１の実施形態に係る他のコンバージョンレンズ装置における当接体の携帯機器への当接状態説明図である。
【図２１】本発明の第２の実施形態に係るコンバージョンレンズ装置の右側面図である。
【図２２】本発明の第２の実施形態に係るコンバージョンレンズ装置における要部の背面図である。
【図２３】図２２のＣ−Ｃ断面図である。
【図２４】本発明の第２の実施形態に係るコンバージョンレンズ装置における当接体周囲への固定具環状部係合状態説明図である。
【図２５】本発明の第３の実施形態に係るコンバージョンレンズ装置の携帯機器への固定状態説明図である。
【図２６】本発明の第３の実施形態に係る他のコンバージョンレンズ装置の携帯機器への固定状態説明図である。
【図２７】本発明の第４の実施形態に係るコンバージョンレンズ装置における携帯機器の厚さの違いに対応した固定具の調整体調整状態説明図である。
【図２８】本発明の第４の実施形態に係る他のコンバージョンレンズ装置における固定具の調整体調整状態説明図である。
【図２９】本発明の第５の実施形態に係るコンバージョンレンズ装置の携帯機器への固定状態概略説明図である。
【発明を実施するための形態】
【００３６】
（本発明の第１の実施形態）
以下、本発明の第１の実施形態に係るコンバージョンレンズ装置を前記図１ないし図１８に基づいて説明する。本実施形態においては、携帯機器としてのスマートフォンに対しコンバージョンレンズ装置を取り付けて用い、人の肌を撮像対象物として近接撮像を行う例について説明する。
【００３７】
前記各図において本実施形態に係るコンバージョンレンズ装置１は、コンバージョンレンズをなす複数の光学レンズ１１ａ、１１ｂ及びこの光学レンズを内蔵支持する支持ケース１２を少なくとも有する本体部１０と、この本体部１０の携帯機器９０側で本体部１０に対し移動可能として配設される当接体１７と、本体部１０に一部を連結され、他の一部が携帯機器９０に接して、本体部１０を携帯機器９０のカメラ部前方に保持する固定具１８とを備える構成である。
【００３８】
なお、本明細書中における前後の定義は、携帯機器に対しコンバージョンレンズ装置１の本体部１０を配置する側で、且つ撮像対象物の存在する側が「前」であり、その逆、すなわちコンバージョンレンズ装置１の本体部１０に対し携帯機器のある側が「後」である。
【００３９】
前記携帯機器９０は、タッチパネル式の表示部を有して、表示部が入力デバイスを兼ね、アプリケーションプログラムを実行可能とされると共に、携帯電話網及び／又はデータ通信網と接続して通信する機能を有する、いわゆるスマートフォンである。具体的には、携帯機器９０は、表示部の裏側における筐体９１の所定箇所に開口部を設け、開口部にカメラ部９２を組み込んだ構成である。
【００４０】
カメラ部９２の最外部には十分な強度の透明材製の保護カバー９３が配設され、光を透過させつつカメラ部９２の機構部分、具体的には、レンズやＣＭＯＳセンサなど撮像に必要な部品をコンパクトに一体化した汎用のカメラモジュール、を保護できる仕組みである。なお、カメラ部９２としては、一般的なスマートフォンのようにカメラモジュールを組み込んで構成されるものに限られず、レンズ系とセンサ系を独立した部品として組み込み、最外部には堅牢な対物レンズが直接露出する構成としたものでもかまわない。
【００４１】
前記本体部１０は、コンバージョンレンズをなす二枚の光学レンズ１１ａ、１１ｂと、撮像対象物と携帯機器９０のカメラ部９２とにそれぞれ面してこれら光学レンズ１１ａ、１１ｂへの光路となる二つの窓部１２ａ、１２ｂを形成されつつ、光学レンズ１１ａ、１１ｂを内蔵支持する支持ケース１２とを備える構成である。
【００４２】
また、支持ケース１２は、光学レンズ１１ａ、１１ｂをレンズ光軸を中心として取り囲む筒状部１３ａを有して、光学レンズ１１ａ、１１ｂを直接支持するバレル部１３と、このバレル部１３の筒状部１３ａの外側に係合して、光学レンズ１１ａ、１１ｂに対し携帯機器側となる部位に光をレンズ光軸と平行に透過可能として配設される副支持部材１４と、撮像対象物に面する窓部１２ａを中心として光学レンズ１１ａ、１１ｂの光軸と平行な略筒状に形成される肌側筒状部１５と、バレル部１３及び副支持部材１４と係合一体化すると共に、肌側筒状部１５をレンズ光軸方向に所定範囲移動可能に支持する主支持部材１６とを備える構成である。
【００４３】
副支持部材１４は、支持ケース１２のうち、携帯機器９０のカメラ部９２に面する窓部１２ｂを含み、携帯機器９０寄りの部位に配設されるものである。副支持部材１４における窓部１２ｂの近傍部分は、窓部１２ｂを中心として光学レンズ１１ａ、１１ｂの光軸と平行な向きに突出する略筒状の突出部１４ａとされる。詳細には、突出部１４ａは、光学レンズ１１ａ、１１ｂの光軸を中心軸とする円筒状に形成されると共に、円筒外周部に雄ねじを形成される構成である。この突出部１４ａの周囲に、当接体１７が配設される。一方、突出部１４ａの先端はカメラ部９２の前記保護カバー９３に当接可能な大きさとされて、保護カバー９３前面に配置される。
【００４４】
この突出部１４ａ先端には、環状の溝が穿設されており、この溝には、弾性変形可能で保護カバー９３より軟らかい軟質材製の環状体１４ｃが埋め込まれて配設される（図７参照）。携帯機器９０にコンバージョンレンズ装置１が保持される状態で、突出部１４ａは携帯機器９０の保護カバー９３に当接することとなるが、当接の際はまず初めに環状体１４ｃが保護カバー９３表面に接し、この環状体１４ｃが弾性変形することで突出部１４ａの先端他部分も保護カバー９３に接する仕組みである。軟質材製の環状体１４ｃが保護カバー９３と接することで、突出部１４ａは保護カバー９３からずれにくく、安定した接触状態を維持できる。なお、携帯機器９０側との接触の安定を十分維持可能であれば、突出部１４ａ先端のうち、環状体１４ｃのみが保護カバー９３に接触し、突出部１４ａの先端他部分は通常の状態では保護カバー９３に接触しない構成としてもかまわない。この場合は、突出部１４ａ先端の接触に伴って保護カバー９３が傷付くのを確実に防止できる。
【００４５】
また、副支持部材１４は、レンズ光軸とは異なる向きとなる外方に突出形成され、主支持部材１６の携帯機器９０寄りとなる所定表面部位と所定間隔をなす突出片１４ｂを有しており、この突出片１４ｂと主支持部材１６との間に前記固定具１８の一端部が挟持されて、本体部１０への取付一体化状態とされることとなる。
【００４６】
支持ケース１２内の光学レンズ１１ａ、１１ｂをバレル部１３で支持し、このバレル部１３の筒状部１３ａに係合する副支持部材１４に、当接体１７や固定具１８からの力が加わるようにしていることで、当接体１７や固定具１８を動かしたり変形させたりしても、バレル部１３やこれに支持される光学レンズ１１ａ、１１ｂに、直接力が加わることはなく、これらに歪みを生じさせず、撮像への影響を回避できる。
【００４７】
前記主支持部材１６は、支持ケース１２のうち、バレル部１３、副支持部材１４、及び肌側筒状部１５を除く大部分を占めるものであり、照明用のＬＥＤやその制御回路、電源としての電池を内蔵する。また、主支持部材１６は、バレル部１３を光学レンズ１１ａ、１１ｂと共に内蔵する状態で取り付けられ、さらにバレル部１３の後方（携帯機器９０側）に副支持部材１４を取り付けられることに加え、撮像対象物に面する側において、肌側筒状部１５を一部内蔵する状態で取り付けられることで、支持ケース１２として組み立てられることとなる。
【００４８】
前記肌側筒状部１５は、支持ケース１２のうち窓部１２ａの近傍部分をなすものであり、窓部１２ａを中心として光学レンズ１１ａ、１１ｂの光軸と平行な略筒状体とされる構成である。詳細には、肌側筒状部１５は、光学レンズ１１ａ、１１ｂの光軸を中心軸とする略円筒状に形成される内筒部１５ａと、この内筒部１５ａの先端外周部に取り付けられる、より径の大きい円筒状の外筒部１５ｂとの組合せ構造とされる構成である。この肌側筒状部１５は、外筒部１５ｂの一部を外部に露出させつつ、主支持部材１６の内部でレンズ光軸方向に所定範囲移動可能に支持され、また、内筒部１５ａに接したばね１６ｂにより、外方に押される向きに付勢されており、常に露出する外筒部１５ｂの先端が撮像対象物となる肌に接触可能とされる。
【００４９】
肌側筒状部１５の内筒部１５ａは、主支持部材１６に内蔵されたスイッチ１６ｃと接触しており、肌側筒状部１５の移動は、スイッチ１６ｃの開閉状態を切替え、これに基づいて、照明用ＬＥＤ１６ｄ、１６ｅを発光させる制御が、スイッチ１６ｃ同様内蔵された制御回路１６ｆで行われる仕組みである。
【００５０】
撮像の際は、携帯機器９０及びこれに固定したコンバージョンレンズ装置１を、撮像対象の肌に近付け、肌側筒状部１５の外筒部１５ｂ先端を肌に付け、肌と光学レンズ１１ａ、１１ｂとの適切な位置関係を確定させた状態で肌の撮像を行うこととなる。外筒部１５ｂの先端が肌に触れると、外筒部１５ｂが肌から相対的に押される状態になることで、肌側筒状部１５全体が移動し、スイッチ１６ｃを作動させることとなる。
【００５１】
主支持部材１６の内側において、照明用のＬＥＤ１６ｄ、１６ｅは、肌側筒状部１５の外筒部１５ｂ先端を接触させた状態の肌に光を照射可能で、且つ、撮像の際の肌からの光が肌側筒状部１５内を経て後方の光学レンズ１１ａ、１１ｂに至る光路上に重ならない配置として配設される。具体的には、主支持部材１６内側における肌側筒状部１５の側方の、制御回路１６ｆと同じ基板上に配設され、肌側筒状部１５の内筒部１５ａに切り欠き形成された開口を通じて肌側に向け光を照射するものとなっている。
【００５２】
照明用のＬＥＤ１６ｄ、１６ｅは、肌のキメ（肌理）を撮像するための照明用としての、発光色が暖色系の白色であるＬＥＤ１６ｄと、肌のシミを撮像するための照明用としての、発光色が白色であるＬＥＤ１６ｅの二種類があり、それぞれを一又は複数個配設されて用いられる。ＬＥＤ１６ｄ、１６ｅからの光は、肌に直接照射しても、鏡面で反射して肌に照射するようにしてもよく、ＬＥＤ１６ｄ、１６ｅの配置箇所に応じて光の照射の経路も適宜選定できる。
【００５３】
肌側筒状部１５の外筒部１５ｂ先端が肌に接し、肌側筒状部１５が移動してスイッチ１６ｃを作動させると、ＬＥＤも作動状態に移行する。具体的には、ＬＥＤは、外筒部１５ｂ先端が肌に接して、スイッチがＯＮ状態となっている間、制御回路により、二種類のＬＥＤのうちＬＥＤ１６ｄのみ発光する期間と、ＬＥＤ１６ｅのみ発光する期間を交互に切り替える状態を繰り返すこととなる。撮像が終了し、肌側筒状部１５の外筒部１５ｂ先端が肌から離れ、肌側筒状部１５もスイッチ１６ｃから離れてスイッチ１６ｃをＯＦＦ状態に移行させると、ＬＥＤの発光も完全に停止される。
【００５４】
この他、肌側筒状部内の明るさを検知するセンサを設け、外筒部を肌に適切に当てて、肌側筒状部内に外光がほとんど入らなくなり、肌側筒状部内が暗くなった状態を、センサを用いて識別することで、外筒部を肌に付けた状態を制御部で把握し、ＬＥＤを発光させるようにすることもできる。
【００５５】
こうしてセンサを用いたり、前記肌側筒状部１５の移動でスイッチ１６ｃを作動させる仕組みを用いて、ＬＥＤを発光させるようにすることで、本体部１０の支持ケース１２表面に、使用者がＬＥＤ発光を指示操作するためのスイッチを露出状態で設けずに済むこととなり、支持ケース１２を簡略でデザイン性に優れたものとすることができる。
【００５６】
肌側筒状部１５における外筒部１５ｂの先端は、所定の肉厚を有する円筒端面部であるが、この端面部のうち外縁部分、すなわち円筒外周面寄り部分は、円筒軸方向に突出する凸部１５ｃとなっており、さらにこの凸部１５ｃは、円筒軸方向への突出高さを、円筒周方向において連続的且つ周期的に異ならせて、周方向に波状の凹凸、すなわち、複数の凹部分１５ｄと凸部分１５ｅが生じた形状となっている。
【００５７】
このため、外筒部１５ｂの先端を肌に付ける場合、端面部外縁の凸部１５ｃが最初に肌に接して肌を押す状態（図１４参照）となることで、外筒部先端の肌接触部位に囲まれる肌の領域を広くでき、仮に凸部１５ｃが無い場合に、平面状の端面部内縁が最初に肌に接して（図１５参照）、この肌接触部位に囲まれる肌の領域が狭いために、肌が外筒部１５ｂ内へ食い込みやすくなるのと比較して、肌の外筒部１５ｂ内への食い込み量（相対的な盛り上がり量）を抑え、外筒部１５ｂの範囲に位置して実際に撮像される肌の曲率を小さくすることができる。また、凸部１５ｃは、円筒周方向において突出高さの異なる凹凸形状をなすことから、肌への接触状態で、突出高さの低い凹部分１５ｄで肌への圧力を逃がして、接触圧を分散することができ、接触に伴う肌の変形を外筒部１５ｂの範囲全体としては緩和して、肌の曲率を小さくできる。こうして、肌をできるだけ起伏が少なく平坦に近い状態で撮像するようにして、肌の撮像画像を、肌表面の状態を判別しやすい適切なものとすることができる。なお、肌側筒状部１５を付勢するばね１６ｂの付勢力も、強すぎると、スイッチ１６ｃを作動させるまで肌側筒状部１５を肌に押し付けた段階で、ばねの反力により肌側筒状部１５を肌に過度に押し付ける状態となり、肌の外筒部１５ｂ内への食い込み量が大きくなって、撮像される肌の曲率も増大してしまうことから、適度な付勢力に抑えたものとされる。
【００５８】
前記当接体１７は、本体部１０の携帯機器側で本体部１０に対し光学レンズ１１ａ、１１ｂの光軸と平行な向きに移動可能として配設され、携帯機器９０におけるカメラ部９２のある側の筐体９１表面に当接可能なものである。より具体的には、当接体１７は、光学レンズ１１ａ、１１ｂの光軸と直交する、携帯機器筐体９１表面への当接面を有する略板状体で形成され、略板状体中心部に雌ねじを有して本体部１０の突出部１４ａに螺合し、突出部１４ａに対し螺動して位置調整可能とされる構成である。そして、この当接体１７の、本体部１０の突出部１４ａに対する位置調整で、当接体１７に対する突出部１４ａの相対突出量を調整することができる。
【００５９】
この当接体１７における携帯機器９０側の表面には、環状の溝が穿設されており、この溝には、弾性変形可能で携帯機器筐体９１より軟らかい軟質材製の環状体１７ａが埋め込まれて配設される（図７参照）。携帯機器９０にコンバージョンレンズ装置１が保持される状態で、当接体１７はカメラ部９２のある側の携帯機器筐体９１表面に当接することとなるが、当接の際はまず初めに環状体１７ａが筐体９１表面に接し、この環状体１７ａが弾性変形することで当接体１７の表面他部分も筐体９１表面に接する仕組みである。軟質材製の環状体１７ａが筐体９１表面と接することで、当接体１７は筐体９１表面からずれにくく、安定した接触状態を維持できる。なお、携帯機器９０側との接触の安定を十分維持可能であれば、当接体１７表面のうち、環状体１７ａのみが筐体９１表面に接触し、当接体１７の他部分は通常の状態では筐体９１表面に接触しない構成としてもかまわない。この場合は、当接体１７の接触に伴って筐体９１表面が傷付くのを確実に防止できる。
【００６０】
この他、当接体１７表面の一部に環状体１７ａを埋込配設するのに代えて、当接体１７の全体を、携帯機器筐体９１より軟質で弾性変形可能な材質で形成するようにしてもよく、当接体１７を携帯機器筐体９１に当接させた場合に、当接体１７が携帯機器筐体９１からずれにくく、接触の安定性を高められると共に、当接に伴って携帯機器筐体９１が傷付くのを防止できる。
【００６１】
なお、この当接体１７の前方となる、支持ケース１２の主支持部材１６における副支持部材１４の周囲部分は、副支持部材１４に対し段差ｄ１のある形状として、副支持部材１４より携帯機器側から離れた前方に位置する形状とされており、当接体１７と主支持部材１６との間は、当接体１７と副支持部材１４との間よりも大きく空いた状態となっている。当接体１７を突出部１４ａに対し位置調整する際は、当接体１７の外周部を指で操作することから、当接体１７の外周部とその前方の支持ケース１２の主支持部材１６との間を大きく空けて、空間７０が生じた状態としていることで、操作の際に当接体１７以外に指がかかりにくく、当接体１７の操作性に優れることとなる。
【００６２】
前記固定具１８は、本体部１０に一部を連結され、他の一部が携帯機器のカメラ部のある側とは反対側の面に接して、本体部と共に携帯機器を挟持する状態となることで、本体部を携帯機器のカメラ部前方に保持するものである。
【００６３】
詳細には、固定具１８は、ばね性を有する細長い部材で形成され、全体的に湾曲して両端部同士が近付いた形状とされており、一端部を副支持部材１４の突出片１４ｂと主支持部材１６との間に挟持されることで本体部１０に一体に固定される一方、他端部は自由端とされる構成である。
【００６４】
固定具１８の他端部には、この他端部の携帯機器９０表面に対する滑りを抑えると共に、接触時の衝撃を吸収したり、接触に伴う携帯機器９０表面の傷付きを防止するクッション部１８ａが取り付けられる構成である。
【００６５】
コンバージョンレンズ装置１を携帯機器９０に固定する場合には、固定具１８を弾性変形させてその他端部を本体部１０側から離してから、固定具１８の一端部を取り付けた本体部１０と固定具１８他端部との間に携帯機器９０を位置させ、本体部１０と固定具１８他端部とが、より正確には本体部１０の突出部１４ａ及びその周囲の当接体１７と、固定具１８他端部のクッション部１８ａとが、クリップ状に携帯機器９０を挟持するようにすることで、本装置を携帯機器９０に着脱可能に固定できる仕組みである。
【００６６】
こうして、固定具１８の弾性で本体部１０と固定具１８の他端部との間に携帯機器９０がクリップ状に挟持される状態が得られるようにすることで、固定具１８は簡略な構造ながら確実に本体部１０を携帯機器９０に固定状態とすることができ、取付操作も容易であり、また、固定具１８の弾性で携帯機器の機種ごとの厚さ寸法の違いを吸収しつつ、本体部１０を携帯機器に無理なく固定でき、使い勝手に優れる。
【００６７】
固定具１８は、携帯機器９０を挟持せず、荷重が加わえられず当初形状を維持した状態では、固定具他端部を本体部１０の突出部１４ａに当接させているか、突出部１４ａ先端近傍に位置させており、固定具１８他端部と突出部１４ａとの間に隙間が生じる場合もあるが、この隙間は一般的な携帯機器の厚さより十分小さく、携帯機器を挟持する際の挟持力は問題なく発生させられる。また、この固定具１８他端部と突出部１４ａとの間の隙間は、当接体１７の厚さよりも小さいことから、当接体１７が突出部１４ａから外れた場合でも、当接体１７は隙間を通過することはできずに、固定具１８他端部に引っ掛かって止まり、人為的に固定具１８を変形させて隙間を大きく広げない限り当接体１７が突出部１４ａから離れて落下することはなく、当接体１７を突出部１４ａに対し過度に移動させて当接体１７の落下を招くような事態を確実に防止できる。
【００６８】
前記携帯機器９０は、コンバージョンレンズ装置１の併用を前提とする肌撮像用のアプリケーションプログラムの実行により、コンバージョンレンズ装置１を固定された状態で、使用者による操作を受けて、肌の撮像を実行する機能を有する。
【００６９】
具体的には、携帯機器９０は、まず初めに、前記撮像用のプログラムの起動、実行の操作入力を使用者から受けて、プログラムを実行させる。このプログラムの実行状態で、使用者のコンバージョンレンズ装置１を携帯機器９０に取付け、固定する作業がなされることとなる。この時、必要に応じて、携帯機器９０は撮像用プログラムに基づき、表示部においてコンバージョンレンズ装置１を携帯機器９０に取付ける手順を案内表示するようにしてもよい。そして、使用者は、説明書等から既に把握している使用方法に沿って、あるいは、携帯機器９０の表示部に表示された案内表示に従って、コンバージョンレンズ装置１を携帯機器９０に取付け、固定した後、この固定したコンバージョンレンズ装置１を携帯機器９０と共に肌に近付け、肌に肌側筒状部１５の外筒部１５ｂの先端を接触させる。
【００７０】
この肌側筒状部１５の外筒部１５ｂ先端を肌に接触させたことに伴い、コンバージョンレンズ装置１における制御回路１６ｆが、照明用ＬＥＤ１６ｄ、１６ｅの発光制御を実行し、肌のキメ撮像用の照明となるＬＥＤ１６ｄのみ発光する期間と、肌のシミ撮像用の照明となるＬＥＤ１６ｅのみ発光する期間を交互に切り替える状態を繰り返すようになっている。
【００７１】
一方、携帯機器９０は、前記撮像用のプログラムに基づき、表示部における表示領域の一部に、使用者の撮像指示操作用のスイッチとなる画像、例えば、ボタン状の撮像指示用スイッチの画像、の表示を行い、この表示に対する使用者からの操作入力を待つ状態となる。そして、使用者は、肌に肌側筒状部１５の外筒部１５ｂの先端を接触させた後、あらかじめ定められた手順に従い、携帯機器９０に対し撮像指示の操作入力を行うこととなる。
【００７２】
携帯機器９０は、撮像指示の操作入力を受けると、これに対応する処理として、撮像用のプログラムに基づいて、コンバージョンレンズ装置１を介してカメラ部９２による撮像を実行し、継続的に撮像画像情報を取得して、撮像画像に含まれる肌からの反射光を解析し、光の波長を検出する。携帯機器９０では、撮像画像情報から光の波長を検出することにより、その時点でコンバージョンレンズ装置１におけるどちらのＬＥＤが発光しているかを識別できる。そして、携帯機器９０は、ＬＥＤ１６ｄが発光している場合には、その発光期間の間に肌のキメの撮像画像を取得し、また、ＬＥＤ１６ｅが発光している場合には、その発光期間の間に肌のシミの撮像画像を取得する処理をそれぞれ実行して、撮像用プログラムに基づく撮像を完了する。
【００７３】
携帯機器９０の表示部における表示は、携帯機器９０の状況が使用者の操作入力で変わるごとに、その状況に対応した内容を表示するようになされる。このうち、使用者の携帯機器９０やコンバージョンレンズ装置１の取り扱いに係る案内表示を行う場合の表示内容は、テキストや静止画、動画などで、状況に応じた操作の内容を解説して使用者が適切に操作できるよう案内するものとなる。例えば、コンバージョンレンズ装置１を携帯機器９０に固定した後の案内表示として、携帯機器９０に固定されたコンバージョンレンズ装置１の肌側筒状部１５先端を接触させる対象となる肌の具体的位置を、肌側筒状部１５先端を接触させる対象位置の周囲所定範囲の肌部分、できれば目や鼻等の特徴部分を含む領域、を背景とした画像中に、丸囲みや矢印等の図形を用いて模式的に示すようにしてもよく、使用者にわかりやすく好ましい。
【００７４】
次に、本実施形態に係るコンバージョンレンズ装置と携帯機器を用いた肌の撮像について説明する。前提として、あらかじめ携帯機器９０に撮像用のプログラムが格納され、使用者の操作で携帯機器９０上で起動、実行可能な状態となっているものとする。また、コンバージョンレンズ装置１が、十分な残容量の電池を内蔵して撮像に使用可能な状態にあるものとする。そして、前記撮像用プログラムは、携帯機器９０にコンバージョンレンズ装置１を固定した状態であっても、使用者が問題なく携帯機器９０上で入力操作を行えるインターフェースを提供可能であるものとする。
【００７５】
まず、使用者は、携帯機器９０を操作して、撮像用のプログラムを起動させ実行状態とした上で、コンバージョンレンズ装置１を携帯機器９０に取付固定する。詳細には、使用者は、コンバージョンレンズ装置１の固定具１８を変形させて、本体部１０の突出部１４ａ及び当接体１７と、固定具１８他端部との間隔を広げ、携帯機器９０の厚さを上回る状態としてから、携帯機器９０を本体部１０の突出部１４ａ及び当接体１７と、固定具１８他端部とで挟持するようにして、コンバージョンレンズ装置１を携帯機器９０に固定する。
【００７６】
この固定を経ても、本体部１０の突出部１４ａが携帯機器９０の保護カバー９３に当接し、且つ、当接体１７が携帯機器９０の筐体９１表面に当接する状態が得られていない場合は、コンバージョンレンズ装置１を携帯機器９０から一旦外すか、本体部１０及び当接体１７に対し携帯機器９０を固定具１８他端部側に押してずらし、突出部１４ａに対し当接体１７を螺動させて位置調整できる状態としてから、携帯機器９０の保護カバー９３と筐体９１表面との位置関係に対応するように、当接体１７を指で操作して突出部１４ａに対し螺動させ、当接体１７に対する突出部１４ａの相対突出量を調整し、最終的に突出部１４ａ先端を携帯機器９０の保護カバー９３に当接させ、当接体１７も携帯機器９０の筐体９１表面に当接させる。
【００７７】
当接体１７に対し突出部１４ａの相対突出量を調整できることから、携帯機器のカメラ部９２、詳細には保護カバー９３の位置が、携帯機器筐体９１表面に対し凹状に奥まった位置となっていたり、逆に保護カバー９３位置が筐体９１表面より突出した位置となっている場合でも、当接体１７に対し突出部１４ａが突出する状態や、当接体１７に対し突出部１４ａが奥まった位置にある状態にそれぞれ調整して対応させることができる。こうして、突出部１４ａを保護カバー９３に当接させてカメラ部９２と光学レンズ１１ａ、１１ｂの位置関係を適切にする状態と、当接体１７を携帯機器筐体９１表面に当接させて、本体部１０を携帯機器９０に対しずれなく安定保持する状態の両方を達成できる。
【００７８】
なお、コンバージョンレンズ装置１を携帯機器９０に取付けた状態が適切な位置からずれている場合は、その状況を携帯機器９０のカメラ部９２で撮像した場合、撮像画像の状態、例えば撮像画像中における突出部１４ａの画像部分の占める大きさやその位置など、にも、ずれの影響が表れることとなる。このため、コンバージョンレンズ装置１の取付け前から、携帯機器９０で実行させている撮像用プログラムに基づいて、取付け、固定作業の最中もカメラ部９２に継続的に撮像を行わせるようにし、携帯機器９０で取付中の撮像画像に基づいた画像処理及び適切な状態との比較対照を実行し、適切でない状態を識別して、携帯機器９０から使用者へ警告、案内するようにしてもよい。
【００７９】
続いて、肌の撮像過程について説明する。使用者は、コンバージョンレンズ装置１を固定した携帯機器９０を撮像対象物である肌に近付け、本体部１０における肌側筒状部１５の外筒部１５ｂ先端を肌に当接させる。外筒部１５ｂの先端を肌に押し当てるのに伴い、外筒部１５ｂが肌から相対的に押される状態になり、肌側筒状部１５全体が後方に移動し、スイッチ１６ｃを作動させる。
【００８０】
肌側筒状部１５の移動で作動したスイッチ１６ｃでは、開閉状態が切り替わってＯＮとなり、これに基づいて、制御回路１６ｆが照明用ＬＥＤ１６ｄ、１６ｅを発光させる制御を実行し、肌のキメ撮像用の照明となるＬＥＤ１６ｄのみ発光する期間と、肌のシミ撮像用の照明となるＬＥＤ１６ｅのみ発光する期間を交互に切り替える状態を繰り返していく。
【００８１】
一方、撮像用のプログラムを実行している携帯機器９０では、入力デバイスを兼ねる表示部に撮像指示用のスイッチ画像が表示されている。使用者が肌側筒状部１５の外筒部１５ｂ先端を肌に当接させた後、携帯機器９０に対し撮像指示の操作入力を行うと、携帯機器９０では、カメラ部９２による撮像を実行し、継続的に撮像画像を取得して、撮像画像に含まれる肌からの反射光を解析して、得られた光の波長からいずれのＬＥＤが発光しているかを識別する状態となる。
【００８２】
そして、携帯機器９０は、まず発光色が暖色系白色であるＬＥＤ１６ｄの光の波長を検出して、このＬＥＤ１６ｄが発光状態にあることを識別すると、このＬＥＤ１６ｄの発光期間において、適切なタイミングで撮像画像を取得し、肌のキメの撮像画像として記録保存する。さらに、携帯機器９０では、発光色が白色であるＬＥＤ１６ｅの光の波長を検出して、このＬＥＤ１６ｅが発光状態にあることを識別すると、このＬＥＤ１６ｅの発光期間において、適切なタイミングで撮像画像を取得し、肌のシミの撮像画像として記録保存する。なお、携帯機器９０で、ＬＥＤ１６ｄの発光状態識別、肌のキメの撮像画像の取得の後に、ＬＥＤ１６ｅの発光状態識別、肌のシミの撮像画像の取得、を行うようにしているが、これに限られるものではなく、逆に、発光色が白色であるＬＥＤ１６ｅの発光状態識別、肌のシミの撮像画像の取得を先に行い、その後、発光色が暖色系白色であるＬＥＤ１６ｄの発光状態識別、肌のキメの撮像画像の取得、を行うようにしてもかまわない。
【００８３】
肌側筒状部１５における外筒部１５ｂの先端を肌に押し付けて撮像を行う中、外筒部１５ｂの先端における端面外縁部分を凸部１５ｃとしていることで、凸部１５ｃと接触する肌部位に囲まれる肌の領域が広く、肌の外筒部１５ｂ内への食い込み量を抑えられ、外筒部１５ｂの範囲に位置して実際に撮像される肌の曲率を小さくできる。加えて、凸部１５ｃは、その突出高さを円筒周方向において連続的且つ周期的に異ならせて、周方向に波状の凹凸形状を付与したものとなっていることから、肌に接触する凸部１５ｃのうち、突出高さの低い凹部分１５ｄで肌への圧力を逃がして、接触圧を分散することができ、接触に伴う肌の変形を外筒部１５ｂの範囲全体として緩和できる。これにより、撮像の際に外筒部１５ｂの先端を肌に押し付けても、肌の盛り上がりを抑え、肌をできるだけ起伏が少なく平坦に近い状態で撮像可能であり、得られた肌の撮像画像を、肌表面状態の判別性に優れたものとすることができ、肌の状態を正確に判断して美容等に活用できることとなる。
【００８４】
また、突出部１４ａや当接体１７がそれぞれ携帯機器９０の所定部位に当接し、コンバージョンレンズ装置１が携帯機器９０に安定的に固定されていることで、この撮像の際に本体部１０を押し付けて当接させている肌から、本体部１０に相対的に力が加わっても、携帯機器９０に対する本体部１０のがたつきは確実に抑えられることとなり、本体部１０を介した肌の撮像を正確に実行できる。
【００８５】
携帯機器９０で、肌のキメの撮像画像と、肌のシミの撮像画像がそれぞれ適切に取得され保存されたら、携帯機器９０は、シャッター音やその他の音声出力、振動等で、使用者に対し撮像が問題なく終了したことを報知する。これを受けた使用者が、携帯機器９０を動かして肌側筒状部１５の外筒部１５ｂ先端を肌から離すと、外筒部１５ｂが肌から相対的に押される状態が解除されて、肌側筒状部１５全体が前方に戻り、肌側筒状部１５はスイッチ１６ｃから離れてスイッチ１６ｃをＯＦＦ状態に移行させる。スイッチ１６ｃがＯＦＦとなることで、制御回路１６ｆは、ＬＥＤ１６ｄ、１６ｅの発光を完全に停止させる。
【００８６】
この後、携帯機器９０において、必要に応じて、撮像用のプログラムの機能によりキメやシミの撮像画像が外部のサーバーに送信される処理等を経て、撮像用のプログラムを終了しても問題ない状況に至ったら、使用者は携帯機器９０を操作して撮像用のプログラムを終了させる。さらに、使用者は、コンバージョンレンズ装置の固定具１８を変形させて、本体部１０の突出部１４ａ及び当接体１７と、固定具１８他端部との間隔を広げ、携帯機器９０を無理なく動かせる状態としてから、携帯機器９０とコンバージョンレンズ装置１とを引き離し、コンバージョンレンズ装置１を携帯機器９０から完全に取り外せば、撮像に係る作業は終了となる。
【００８７】
このように、本実施形態に係るコンバージョンレンズ装置は、コンバージョン用の光学レンズ１１ａ、１１ｂを有して携帯機器９０のカメラ部９２前側に取付けられる本体部１０の携帯機器側に、突出部１４ａが光学レンズ１１ａ、１１ｂとの位置関係を固定として突出形成されると共に、本体部１０に対し位置調整可能として当接体１７が配設され、当接体１７の位置調整で当接体１７に対する突出部１４ａの相対突出量を調整可能とし、突出部１４ａ周囲の当接体１７を、突出部１４ａの先端がカメラ部９２の保護カバー９３に当接する状態で、携帯機器筐体９１表面に当接するよう位置調整できることから、携帯機器９０のカメラ部９２の保護カバー９３が携帯機器筐体９１面に対し凹んだ位置又は突出した位置となっていても、筐体９１面に接触する当接体１７と突出部１４ａとの配置関係を調整して、突出部１４ａを保護カバー９３に確実に当接させて、突出部１４ａに対し固定された位置にある光学レンズ１１ａ、１１ｂとカメラ部９２との位置関係を正しく設定でき、様々なカメラ部を有する携帯機器のいずれに対してもコンバージョンレンズとして適切な使用が可能となる。
【００８８】
また、当接体１７が携帯機器筐体９１に当接することで、装置全体で携帯機器９０との接触面積を確保して、本体部１０の安定した支持が可能であり、携帯機器９０に対する本体部１０のがたつきを抑え、本体部１０を通じた携帯機器９０での撮像を正確に行える。
【００８９】
なお、前記実施形態に係るコンバージョンレンズ装置において、カメラ付きの携帯機器９０をスマートフォンとしているが、これに限られるものではなく、携帯機器としてはカメラ付きの携帯電話などの公知の装置でもよい。さらに、携帯機器としては、前記スマートフォン等の、携帯電話網及び／又はデータ通信網と接続して通信する機能を有する携帯通信端末に限らず、カメラや表示機能を備えた携帯型の装置、例えば、携帯型ゲーム機、タブレット型端末、ＰＤＡ（携帯情報端末）等を用いてもかまわない。
【００９０】
また、前記実施形態に係るコンバージョンレンズ装置において、本体部１０の支持ケース１２は、複数の部材の組み合わせで形成する構成としているが、これに限らず、支持ケースをなす複数の部材、例えば、主支持部材と副支持部材を、一体成形した一部材として用いるようにしてもかまわない。
【００９１】
また、前記実施形態に係るコンバージョンレンズ装置において、当接体１７は、突出部１４ａに螺合する中心部分から外周部までほぼ一様な平板状に形成されて、携帯機器筐体９１表面に当接可能とされる構成であるが、これに限らず、図２０に示すように、当接体１７を、突出部１４ａへの取付状態で、突出部１４ａ近傍の中心部分がその周囲の他部分に対し相対的に前側に位置して、当接体中心部分と他部分との間に段差がある形状として形成する構成とすることもできる。この場合、携帯機器９０が、そのカメラ部９２を周囲の筐体９１表面から凸状に突出させて、カメラ部９２の厚さを周囲部分より厚くした形状であっても、当接体１７の外周寄り部分がカメラ部９２の影響を受けることなく確実に周囲の筐体９１表面に当接することができ、前記実施形態同様に本体部１０の支持を安定化できる。
【００９２】
これと合わせて、突出部１４ａを十分な長さとして形成していることで、携帯機器のカメラ部９２、詳細には保護カバーや対物レンズの位置が、携帯機器筐体９１表面に揃う位置となっていたり、さらに筐体９１表面に対し凹状に奥まった位置となっている場合でも、当接体１７の当接面に突出部１４ａ先端位置が一致する状態や、当接体１７に対し突出部１４ａが相対的に突出する状態に、当接体１７をそれぞれ調整して対応させることができる。
【００９３】
また、前記実施形態に係るコンバージョンレンズ装置において、本体部１０の支持ケース１２における撮像対象物に面する側の、肌側筒状部１５における外筒部１５ｂの先端形状については、端面部外縁に凸部１５ｃを設け、且つ凸部１５ｃを円筒周方向に波状の凹凸が生じた形状とする構成としているが、これに限られるものではなく、端面部外縁の凸部が突出高さを円筒周方向で一様にされる構成とすることもできる。この場合、前記実施形態同様、外筒部１５ｂの先端を肌に付ける際に、前記同様、凸部が最初に肌に接して肌を押す状態となることで、外筒部先端の肌接触部位に囲まれる肌の領域を広くできる（図１４参照）ことに加え、凸部が一様に肌に接することで、外筒部先端と肌との間に隙間が生じず、この隙間からの外光の影響を無くして、外筒部１５ｂの範囲に位置する肌に影等を生じさせず明瞭に撮像できる。この他、外筒部１５ｂの端面部外縁のみでなく、端面部の全体にわたって、円筒周方向に波状の凹凸が生じた形状に形成する構成とすることもでき、前記凸部１５ｃのある場合と同様、周方向において凹凸形状をなすことから、肌への接触状態で、凹部分１５ｆにより肌への圧力を逃がして、接触圧を分散でき、接触に伴う肌の変形を外筒部１５ｂの範囲全体としては緩和して、肌の曲率を小さくすることができる（図１９参照）。
【００９４】
また、前記実施形態に係るコンバージョンレンズ装置において、撮像の際に肌側筒状部１５の外筒部１５ｂ先端を撮像対象物である肌に接触させると、肌から相対的に押される状態となった肌側筒状部１５全体が移動し、スイッチ１６ｃの接点開閉状態が切り替わることで、制御回路１６ｆが照明用ＬＥＤ１６ｄ、１６ｅを発光させる制御を行う仕組みとなっており、撮像時に照明用ＬＥＤ１６ｄ、１６ｅを発光させるに際して、使用者の事前の発光に係る操作を必要としない構成としているが、これに限らず、肌側筒状部１５先端を使用者が指で押す操作に基づいて、制御回路１６ｆが照明用ＬＥＤ１６ｄ、１６ｅを発光させる構成とすることもできる。すなわち、肌側筒状部１５が操作部としても用いられ、使用者が肌側筒状部１５を押すと、肌側筒状部１５が移動して、その内筒部１５ａと接触するスイッチ１６ｃの接点開閉状態を変化させ、これを受けて、制御回路１６ｆでの照明用ＬＥＤ１６ｄ、１６ｅの所定の発光制御が実行されるようにすることもできる。
【００９５】
この場合、例えば、指で肌側筒状部を一回押して操作すると、スイッチの接点開閉状態が一時的に変わり、これを検知した制御回路により、ＬＥＤ１６ｄ、１６ｅが作動状態に移行し、所定時間（例えば５分）作動状態が継続された後、元の非作動状態に戻ることとなる。作動状態では、前記実施形態同様、二種類のＬＥＤ１６ｄ、１６ｅのうち一方のみ発光する期間と、他方のみ発光する期間を交互に切り替えていく。所定時間が経過する前に再び指で肌側筒状部１５を押す操作がなされると、制御回路１６ｆにより、作動状態のＬＥＤ１６ｄ、１６ｅは直ちに発光を停止して、非作動状態に戻る。なお、指で肌側筒状部１５を押す操作としては、単純な押し操作ではなく、所定時間（例えば、約０．５秒以上）押し続ける、いわゆる長押し操作を必要とするように設定すれば、非作動状態で、使用者が意識して操作する時以外で肌側筒状部１５に何かが接触した際に、誤ってＬＥＤが発光する作動状態となるのを防止できる。また、作動状態のＬＥＤの発光を停止させる操作について、前記作動状態への移行の場合より長い所定時間（例えば、約１秒以上）押し続ける長押し操作を必要とするように設定すれば、肌側筒状部１５が肌に接していて、誤ってスイッチの状態変化が起こる可能性も高い撮像中の状況で、作動状態を変化させる操作条件をより厳しくすることで、撮像中に誤ってＬＥＤが発光停止となることを確実に防止できることとなる。
【００９６】
このような照明用ＬＥＤ１６ｄ、１６ｅの発光に係り、使用者が肌側筒状部１５先端を指で押して操作する際においては、肌側筒状部１５を押す指の腹が肌側筒状部１５の内側にはまり込み、肌側筒状部１５に対し位置ずれが生じにくい状態で操作を行えることとなり、肌側筒状部１５を押す動作によるスイッチ１６ｃの操作を誤りなく確実に実行させられる。
【００９７】
また、肌側筒状部１５先端の端面部のうち円筒外周面寄り部分は、突出する凸部１５ｃとなっているため、肌側筒状部１５の先端を指で押して操作する際、凸部１５ｃ表面にも指が接触できる分、指の肌側筒状部１５先端との接触面積を大きくすることができ、指で肌側筒状部１５を押す際に指に相対的に加わる反力を分散させ、指に力が集中するのに伴う痛みを抑えられる。さらに、凸部１５ｃは、円筒軸方向への突出高さを、円筒周方向において連続的且つ周期的に異ならせて、周方向に波状の凹凸が生じた形状となっているため、肌側筒状部１５の先端を指で押して操作する際、凸部１５ｃの周方向の凹凸各部に接触する指は肌側筒状部１５から極めてずれにくい状態にあり、指で肌側筒状部１５を押す操作を無理なく適切に行える。
【００９８】
肌側筒状部１５は、前記実施形態同様、ばね１６ｂで外方へ向けて付勢された状態で支持されているが、指で肌側筒状部１５を押してスイッチ１６ｃを操作した後、肌に肌側筒状部１５を接触させて撮像を行う中、正しい撮像状態ではばね１６ｂの変形はほとんど生じず、肌側筒状部１５は支持ケース１２の他部分に対して移動しない仕組みである。この際、肌に肌側筒状部１５を強く押し付けたとしても、その分、肌側筒状部１５が付勢力に抗して移動することから、肌側筒状部１５の肌への食い込みを抑えて肌の痛みを緩和でき、また、肌への肌側筒状部１５の押し付けが過剰であることを使用者が認識でき、使用者は肌に肌側筒状部１５を適切な力で接触させる状態を維持しやすい。なお、この場合の肌側筒状部１５を付勢するばね１６ｂの付勢力は、前記実施形態のように肌側筒状部１５を肌に押し付けることで肌側筒状部１５を相対移動させ、スイッチ１６ｃを作動させる例と比較して、撮像結果への直接的な影響がないことから、指で押した際に確実な操作感を得るために、ばねの付勢力をより強く設定することもできる。
【００９９】
（本発明の第２の実施形態）
本発明の第２の実施形態に係るコンバージョンレンズ装置を前記図２１ないし図２４に基づいて説明する。
【０１００】
前記各図において本実施形態に係るコンバージョンレンズ装置２は、前記第１の実施形態同様、本体部２０と、当接体２７と、固定具２８とを備える構成とされる一方、異なる点として、本体部２０の支持ケース２２のうち撮像対象物に面する側の肌側筒状部２５が後方に延長され、その内周側にバレル部２３が係合すると共に、外周側に副支持部材２４が係合する構造とされ、また、当接体２７が外周部を複数の凹凸が配置される形状とされ、さらに、固定部２８の中間部分に当接体２７と係合可能な環状部２８ｄが設けられる構成を有するものである。
なお、コンバージョンレンズ装置２を適用する携帯機器９０の構成や内部処理については、前記第１の実施形態と同じであり、説明を省略する。
【０１０１】
前記本体部２０は、前記第１の実施形態同様、二枚の光学レンズ２１ａ、２１ｂと、支持ケース２２とを備える構成である。このうち、支持ケース２２は、前記第１の実施形態同様、バレル部２３と、副支持部材２４と、肌側筒状部２５と、主支持部材２６とを備える構成とされる一方、異なる点として、支持ケース２２をなす肌側筒状部２５の内周側にバレル部２３が係合し、また、肌側筒状部２５の外周側には副支持部材２４が係合する構成を有するものである。
【０１０２】
詳細には、肌側筒状部２５が、支持ケース２２の撮像対象物に面する窓部２２ａから携帯機器９０のカメラ部９２に面する窓部２２ｂまでほぼ達する長さの略筒状体として形成され、主支持部材２６内で固定配設される構成とされることに加え、バレル部２３が、光学レンズ２１ａ、２１ｂを取り囲む筒状部のみからなる簡略な形状とされて、肌側筒状部２５の窓部２２ｂ側の端部における内周部分に係合して配設される。また、副支持部材２４が、肌側筒状部２５の窓部２２ｂ側の端部における外周部分に係合して、バレル部２３との位置関係を固定とされて配設される。
【０１０３】
副支持部材２４は、支持ケース２２のうち、携帯機器９０のカメラ部９２に面する窓部２２ｂを含み、携帯機器９０寄りの部位に配設され、副支持部材２４における窓部２２ｂの近傍部分は、窓部２２ｂを中心として光学レンズ２１ａ、２１ｂの光軸と平行な向きに突出する略筒状の突出部２４ａとされる。
【０１０４】
突出部２４ａは、前記第１の実施形態同様、光学レンズ２１ａ、２１ｂの光軸を中心軸とする円筒状に形成されると共に、円筒外周部に雄ねじを形成される構成である。そして、突出部２４ａの先端はカメラ部９２の前記保護カバー９３に当接可能な大きさとされて、保護カバー９３前面に配置される。この突出部２４ａの周囲に、当接体２７が配設される。
【０１０５】
また、副支持部材２４は、前記第１の実施形態同様、レンズ光軸とは異なる向きとなる外方に突出形成され、主支持部材２６の携帯機器９０寄りとなる所定表面部位と所定間隔をなす突出片２４ｂを有しており、この突出片２４ｂと主支持部材２６との間に前記固定具２８の一端部が挟持されて、本体部２０への取付一体化状態とされることとなる。
【０１０６】
支持ケース２２内の光学レンズ２１ａ、２１ｂをバレル部２３で支持し、このバレル部２３外周に係合する肌側筒状部２５のさらに外側に位置する副支持部材２４に、当接体２７や固定具２８からの力が加わるようにしていることで、前記第１の実施形態の場合と同様、当接体２７や固定具２８を動かしたり変形させたりしても、バレル部２３やこれに支持される光学レンズ２１ａ、２１ｂに、直接力が加わらず、これらに歪みを生じさせることはない。
【０１０７】
前記肌側筒状部２５は、前記第１の実施形態同様、支持ケース２２のうち窓部２２ａの近傍部分をなすものであり、光学レンズ２１ａ、２１ｂの光軸と平行な略筒状体として形成される構成とされる一方、異なる点として、携帯機器９０のカメラ部９２に面する窓部２２ｂまで延長配設される単体の円筒状体とされ、主支持部材２６内で固定配設されて移動しない構成を有するものである。
【０１０８】
この肌側筒状部２５をなす円筒状体は、光学レンズ２１ａ、２１ｂの光軸を中心軸として形成され、撮像対象物に面する窓部２２ａ側の先端を外部に露出させ、この先端を撮像対象物となる肌に接触可能とされる。
【０１０９】
前記主支持部材２６は、前記第１の実施形態同様、支持ケース２２のうち、バレル部２３、副支持部材２４、及び肌側筒状部２５を除く大部分を占めるものであり、照明用のＬＥＤやその制御回路、電源としての電池を内蔵する。そして、主支持部材２６は、光学レンズ２１ａ、２１ｂを支えるバレル部２３を肌側筒状部２５内に収めた状態で取り付けられ、さらに肌側筒状部２５の後部（携帯機器９０側）に副支持部材２４を取り付けられることで、支持ケース２２として組み立てられることとなる。
【０１１０】
主支持部材２６には、スイッチ２６ｃが使用者により操作可能として設けられており、使用者がスイッチ２６ｃを操作するごとに、主支持部材２６に内蔵されて照明用ＬＥＤ２６ｄ、２６ｅの発光を制御する制御回路２６ｆが、ＬＥＤ２６ｄ、２６ｅを切り替えつつ発光させる作動状態と一切発光させない非作動状態とを切り替える仕組みである。
【０１１１】
撮像の際は、携帯機器９０及びこれに固定したコンバージョンレンズ装置２を、撮像対象の肌に近付け、肌側筒状部２５先端を肌に付け、肌と光学レンズ２１ａ、２１ｂとの適切な位置関係を確定させた状態で肌の撮像を行うこととなる。肌側筒状部２５の先端が肌に触れたら、使用者がスイッチ２６ｃを操作して、ＬＥＤ２６ｄ、２６ｅを作動状態に移行させることとなる。
【０１１２】
主支持部材２６の内側において、照明用のＬＥＤ２６ｄ、２６ｅは、肌側筒状部２５先端を接触させた状態の肌に光を照射可能となるように、主支持部材２６内側における肌側筒状部２５の側方に配設される。これらＬＥＤ２６ｄ、２６ｅは、肌側筒状部２５に切り欠き形成された開口を通じて、肌側筒状部２５を挟んで対向する位置に設けられる鏡体２６ｇに向け光を照射し、鏡体２６ｇで反射した光を肌側筒状部２５の先端側に向かわせる仕組みである。
【０１１３】
照明用のＬＥＤ２６ｄ、２６ｅは、前記第１の実施形態同様、肌のキメ（肌理）を撮像するための照明用としての、発光色が暖色系の白色であるＬＥＤ２６ｄと、肌のシミを撮像するための照明用としての、発光色が白色であるＬＥＤ２６ｅの二種類があり、それぞれを一又は複数個配設されて用いられる。
【０１１４】
肌側筒状部２５の先端が肌に接した際に、使用者が指でスイッチ２６ｃを一回操作すると、制御回路２６ｆにより、ＬＥＤが作動状態に移行し、所定時間（例えば５分）作動状態を継続した後、元の非作動状態に戻ってＬＥＤの発光を完全に停止させるように制御される。作動状態では、二種類のＬＥＤのうちＬＥＤ２６ｄのみ発光する期間と、ＬＥＤ２６ｅのみ発光する期間を交互に切り替える状態を繰り返すこととなる。所定時間が経過する前に使用者が再びスイッチ２６ｃを操作すると、制御回路２６ｆにより、作動状態のＬＥＤは直ちに発光を停止して、非作動状態に戻る。
【０１１５】
前記当接体２７は、前記第１の実施形態同様、光学レンズ２１ａ、２１ｂの光軸と直交する面、すなわち、携帯機器９０におけるカメラ部９２のある側の筐体９１表面への当接面、を有する略板状体で形成され、略板状体中心部に雌ねじを有して本体部２０の突出部２４ａに螺合し、突出部２４ａに対し螺動して、本体部２０に対し光学レンズ２１ａ、２１ｂの光軸と平行な向きに移動可能な構成とされる一方、異なる点として、当接体２７の外周部が、周方向に複数の凹凸が配置される略花弁形状とされる構成を有するものである。この突出体２７は、前記第１の実施形態同様、当接体２７の突出部２４ａに対する位置調整で、当接体２７に対する突出部２４ａの相対突出量を調整することができる。
【０１１６】
当接体２７における携帯機器筐体９１表面への当接面には、弾性変形可能で携帯機器筐体９１より軟らかい軟質材２７ａ、例えば、ゴム、エラストマー、フェルト、ゲルシートなど、が携帯機器筐体９１と接触可能に取り付けられる一方、当接体２７のこの軟質材２１以外の部分は携帯機器筐体９１と接しない形状とされる。これにより、当接体２７を携帯機器筐体９１に当接させた場合に、当接体２７が携帯機器筐体９１からずれにくくなるなど、接触の安定性を高められると共に、当接に伴って携帯機器筐体９１が傷付くのを確実に防止できる。この当接体２７の当接面における軟質材は、シート状のものを当接体表面への貼付けにより取り付ける以外に、当接体２７の当接面側に穿設した複数の穴、又は貫通孔に、それぞれ軟質材の小片を外れないように埋め込み、又は通して、携帯機器筐体９１と接触可能に配設するようにしてもよい。
【０１１７】
なお、この当接体２７前方の、支持ケース２２の副支持部材２４における突出部２４ａの前側近傍部分は、周囲の他部分、すなわち主支持部材２６との間に段差ｄ２を有する筒形状で、且つ後方、すなわち携帯機器９０のカメラ部９２側から見て、当接体２７の凹凸のある外周部より小さく形成される。また、支持ケース２２の主支持部材２６における当接体２７前方に位置する部分は、副支持部材２４の前記筒形状部分に対し段差ｄ２の分、携帯機器側から離れた前方に位置する形状とされており、当接体２７と主支持部材２６との間は、当接体２７と副支持部材２４との間よりも大きく空いた状態となっている。
【０１１８】
当接体２７を突出部２４ａに対し位置調整する際は、当接体２７の外周部を指で操作することから、当接体２７の外周部とその前方の支持ケース２２の主支持部材２６との間を大きく空け、且つ副支持部材２４の筒形状部分をより内周側に位置させて、空間７１が生じた状態としていることで、操作の際に当接体２７以外の副支持部材２４や主支持部材２６に指がかかりにくく、当接体２７の操作性に優れることとなる。加えて、当接体２７の外周部に凹凸を設けていることで、当接体２７に指を接触させて指で当接体２７を直接操作する際に、当接体２７の凹凸に指をかけて当接体２７を動かすことができ、当接体２７から指が外れにくく、当接体２７を動かしやすい。
【０１１９】
一方、当接体２７前方の、支持ケース２２における当接体２７及び突出部２４ａの各近傍部分を除く、より前方にある主支持部材２６の形状は、その後方から見た主支持部材２６の外郭線、すなわち、携帯機器９０のカメラ部９２側から見た主支持部材２６の外郭線を、当接体２７の外周部より外側に位置させる形状として形成される構成である。これにより、支持ケース２２の外郭線より内側の当接体２７が、他の物体と接触しにくく、非使用時の収納状態や持ち運び状態で当接体２７が嵩張らず、取扱い性に優れると共に、本体部２０を携帯機器９０に固定しての使用状態で、積極的な操作以外で誤って手指等が当接体２７に触れて当接体２７が動いてしまうことも起こりにくく、位置調整を経た当接体２７位置の精度を確保できる。
【０１２０】
前記固定具２８は、前記第１の実施形態同様、ばね性を有する細長い部材で形成され、全体的に湾曲して両端部同士が近付いた形状とされており、一端部を副支持部材２４の突出片２４ｂと主支持部材２６との間に挟持されることで本体部２０に一体に固定される構成とされる一方、異なる点として、固定具２８の他端部に、この固定具２８の他端近傍の他部分に対し位置調整可能とされる調整体２８ｃを備えて、この調整体２８ｃを携帯機器９０のカメラ部９２のある側とは反対側の面に当接可能とすると共に、固定具２８の一端部と他端部との間の中間位置には、当接体２７の外周形状と複数箇所で一致する内周形状を有する環状部２８ｄを設ける構成を有するものである。
【０１２１】
前記調整体２８ｃは、固定具２８の他部分とは別体の弾性材製とされて、固定具２８の他端近傍の所定箇所に回転可能に配設され、この回転の中心位置に対し突出寸法のそれぞれ異なる突出部分を複数有する構成である。調整体２８ｃを固定具の他部分に対し回転させて、携帯機器９０のカメラ部９２のある側とは反対側の面に当接する突出部分を選択的に替えることで、本体部２０と固定具２８他端部との間に携帯機器９０を挟持する際の挟持力を、突出部分の突出量の差に基づく複数段階に調整できる仕組みである。
【０１２２】
挟持力を強めたい場合は、突出量の大きい突出部分が携帯機器９０に当接するようにし、逆に弱めたい場合は、突出量の小さい突出部分が携帯機器９０に当接するようにする。例えば、携帯機器が比較的薄いもので、固定具による挟持力を得にくい場合には、突出量の大きい突出部分が携帯機器９０に当接するように調整体２８ｃを回転調整して、本体部２０の保持に十分な挟持力を得られるようにする。また、携帯機器が比較的厚いもので、固定具による挟持力が強めに生じやすい場合には、突出量の小さい突出部分が携帯機器９０に当接するように調整体２８ｃを回転調整して、携帯機器に過剰な力が加わらないようにする。
【０１２３】
この調整体２８ｃも、弾性材製であることから、固定具２８他端部の携帯機器９０表面に対する滑りを抑えると共に、接触時の衝撃を吸収したり、接触に伴う携帯機器９０表面の傷付きを防止することができる。
【０１２４】
コンバージョンレンズ装置２を携帯機器９０に固定する場合には、固定具２８を弾性変形させてその他端部の調整体２８ｃを本体部１０側から離してから、固定具２８の一端部を取り付けた本体部２０と他端部の調整体２８ｃとの間に携帯機器９０を位置させ、本体部２０と固定具２８他端部とが、より正確には本体部２０の突出部２４ａ及びその周囲の当接体２７と、固定具２８他端部の調整体２８ｃとが、クリップ状に携帯機器９０を挟持するようにすることで、本装置を携帯機器９０に着脱可能に固定できる仕組みである。そして、必要に応じて、調整体２８ｃを回転調整して、携帯機器９０を挟持する力が適切なものとなるようにし、固定を確実で且つ無理のない安全な状態にすることとなる。
【０１２５】
固定具２８の中間位置の環状部２８ｄは、その内周形状が、当接体２７外周の凹凸形状と複数箇所で合うように形成されており、環状部２８ｄ内周と当接体２７外周とを係合させると、当接体２７と環状部２８ｄを突出部２４ａに対し一体に螺動させることができる。そして、螺動の中心に対し当接体２７外周部より外側に位置する、環状部２８ｄをはじめとする固定具２８を操作すれば、当接体２７を直接操作する場合より、強い力で当接体２７を螺動させることができる。
【０１２６】
このため、突出部２４ａへの固着等が原因で指のみの操作では当接体２７を動かしにくいような場合に、固定具２８を一旦本体部２０側から取り外し、環状部２８ｄを当接体２７外周に係合させ、固定具２８を握るなどして当接体２７への操作を固定具２８を用いて行うようにすれば、固定具２８を介して当接体２７に強い力を加えやすく、当接体２７を容易に動かすことができる。こうして、固定具２８を一種の治具として補助的に用いて当接体２７の可動性を確保できる一方、当接体２７の操作補助に使用する時以外は通常の固定具として用いることができるため、一般的な治具のように本体部２０とは別に持ち運んだり収納する必要もなく、紛失等も起こりにくく使い勝手の点でも優れることとなる。
【０１２７】
次に、本実施形態に係るコンバージョンレンズ装置と携帯機器を用いた肌の撮像について説明する。前記第１の実施形態同様、使用者は、まず、携帯機器９０を操作して、撮像用のプログラムを起動させ実行状態とした上で、コンバージョンレンズ装置２を携帯機器９０に取付固定する。この取付固定の際、固定具２８他端部の調整体２８ｃを回転調整して、携帯機器９０の厚さに対応した適切な固定状態が得られるようにする。
【０１２８】
この固定を経ても、本体部２０の突出部２４ａが携帯機器９０の保護カバー９３に当接し、且つ、当接体２７が携帯機器９０の筐体９１表面に当接する状態が正しく得られていない場合、位置調整可能な状態とした当接体２７を指で操作して突出部２４ａに対し螺動させ、携帯機器９０の保護カバー９３と筐体９１表面との位置関係に対応するように、当接体２７に対する突出部２４ａの相対突出量を調整し、最終的に突出部２４ａ先端を携帯機器９０の保護カバー９３に当接させ、当接体２７も携帯機器９０の筐体９１表面に当接させる。
【０１２９】
なお、この携帯機器９０へのコンバージョンレンズ装置２への取付固定に先立って、当接体２７の突出部２４ａへの固着等が原因で、指のみの操作では当接体２７を動かしにくくなっていることが確認された場合には、固定具２８を一旦本体部２０側から取り外し、環状部２８ｄを当接体２７外周に係合させ、固定具２８を握って固定具２８ごと当接体２７を螺動させる操作を行い、固定具２８を介して当接体２７に強い力を加えつつ、当接体２７をあらかじめ十分に動かしておき、後の作業では当接体２７を指のみの操作で容易に動かすことができる状態としておくのが望ましい。
【０１３０】
続いて、肌の撮像過程について説明する。使用者は、コンバージョンレンズ装置２を固定した携帯機器９０を撮像対象物である肌に近付け、本体部２０における肌側筒状部２５の先端を肌に当接させる。肌側筒状部２５の先端を肌に押し当てたら、使用者は引き続きスイッチ２６ｃを操作する。
【０１３１】
使用者がスイッチ２６ｃを操作すると、これに基づいて、制御回路２６ｆは照明用のＬＥＤ２６ｄ、２６ｅを作動状態とし、発光制御を実行して、肌のキメ撮像用の照明となるＬＥＤ２６ｄのみ発光する期間と、肌のシミ撮像用の照明となるＬＥＤ２６ｅのみ発光する期間を交互に切り替える状態を繰り返していく。
【０１３２】
一方、撮像用のプログラムを実行している携帯機器９０では、前記第１の実施形態同様、入力デバイスを兼ねる表示部に撮像指示用のスイッチ画像が表示されている。使用者が肌側筒状部２５の先端を肌に当接させ、且つ照明に係るスイッチ２６ｃを操作した後、携帯機器９０に対し撮像指示の操作入力を行うと、携帯機器９０では、カメラ部９２による撮像を実行し、継続的に撮像画像を取得して、撮像画像に含まれる肌からの反射光を解析して、得られた光の波長からいずれのＬＥＤが発光しているかを識別する状態となる。
【０１３３】
そして、携帯機器９０は、前記第１の実施形態同様、発光色が暖色系白色であるＬＥＤ２６ｄの光の波長を検出して、このＬＥＤ２６ｄが発光状態にあることを識別すると、このＬＥＤ２６ｄの発光期間において、適切なタイミングで撮像画像を取得し、肌のキメの撮像画像として記録保存する。さらに、携帯機器９０では、発光色が白色であるＬＥＤ２６ｅの光の波長を検出して、このＬＥＤ２６ｅが発光状態にあることを識別すると、このＬＥＤ２６ｅの発光期間において、適切なタイミングで撮像画像を取得し、肌のシミの撮像画像として記録保存する。
【０１３４】
携帯機器９０で、肌のキメの撮像画像と、肌のシミの撮像画像がそれぞれ適切に取得され保存されたら、携帯機器９０は、シャッター音やその他の音声出力、振動等で、使用者に対し撮像が問題なく終了したことを報知する。これを受けた使用者は、携帯機器９０を動かして肌側筒状部１５の先端を肌から離す。あらかじめ設定された所定時間経過後、制御回路２６ｆは、ＬＥＤ２６ｄ、２６ｅを非作動状態へ移行させ、ＬＥＤ２６ｄ、２６ｅの発光を完全に停止させる。
【０１３５】
なお、使用者が携帯機器９０を動かして肌側筒状部２５の先端を肌から離す際に、スイッチ２６ｃを操作することで、制御回路２６ｆにより強制的にＬＥＤ２６ｄ、２６ｅを非作動状態へ移行させて、前記所定時間が経過する前に、ＬＥＤ２６ｄ、２６ｅの発光を停止させることもできる。
【０１３６】
この後、前記第１の実施形態同様、携帯機器９０において、必要に応じて、撮像用のプログラムの機能によりキメやシミの撮像画像が外部のサーバーに送信される処理等を経て、撮像用のプログラムを終了しても問題ない状況に至ったら、使用者は携帯機器９０を操作して撮像用のプログラムを終了させる。さらに、使用者が、コンバージョンレンズ装置２を携帯機器９０から完全に取り外せば、撮像に係る作業は終了となる。
【０１３７】
このように、本実施形態に係るコンバージョンレンズ装置は、本体部２０をなす支持ケース２２のうち副支持部材２４に、当接体２７の外周より小さい筒形状部分を設けて、その周囲部分の主支持部材２６との間に段差を与え、当接体２７外周部とその前方の本体部２０における主支持部材２６との間を広く空けるようにして、当接体２７に指を接触させて指で当接体２７を操作するにあたって、本体部２０と指とを接触しにくくすることから、当接体２７を指で直接操作して位置調整を行う場合に、当接体２７の操作が容易となり、操作性を向上させて、当接体２７の位置調整の精度を高められる。
【０１３８】
その一方、本体部２０の外郭線が当接体２７の外周部より外側に位置するようにしたことから、当接体２７に指を接触させて指で当接体２７を直接操作する際の操作性は変えずに、本体部２０の外郭線より内側の当接体２７が他のものと接触しにくくなり、非使用時の収納状態や持ち運び状態で当接体２７が嵩張らず、取扱い性に優れる。
【０１３９】
なお、前記第１及び第２の各実施形態に係るコンバージョンレンズ装置において、照明用光源として、肌のキメを撮像するための照明用ＬＥＤ１６ｄ、２６ｄと、肌のシミを撮像するための照明用ＬＥＤ１６ｅ、２６ｅをそれぞれ設け、撮像の際、制御回路により、キメ撮像用ＬＥＤのみ発光する期間と、シミ撮像用ＬＥＤのみ発光する期間を交互に切り替える構成としているが、これに限られるものではなく、キメ撮像用ＬＥＤとシミ撮像用ＬＥＤのいずれか一方のみ設けて、キメとシミのいずれか一方のみの撮像に対応した単機能タイプとする構成とすることもでき、装置構造及び制御内容を簡略化してコストを抑えられる。
【０１４０】
（本発明の第３の実施形態）
前記第１の実施形態に係るコンバージョンレンズ装置において、当接体１７は、携帯機器９０におけるカメラ部９２のある側の筐体９１表面への当接面を有する略板状体で形成され、略板状体中心部に雌ねじを有して本体部１０の突出部１４ａに螺合し、当接体１７が突出部１４ａに対し螺動して位置調整されることで、当接体１７に対する突出部１４ａの相対突出量を調整可能な構成としているが、この他、第３の実施形態として、図２５に示すように、略板状の当接体３７は、中心部に穿設された孔で、本体部３０の突出部３４ａに対し突出部３４ａ突出方向に移動可能に係合する一方、当接体３７の端部に本体部３０の支持ケース３２内に向け突出する突出軸部３７ｄを配設し、本体部３０の支持ケース３２に別途設けた当接体用の位置調整機構３９により、当接体３７の突出軸部３７ｄを前後に移動させることで、当接体３７を突出部３４ａに対し位置調整する構成とすることもできる。
【０１４１】
この場合、前記位置調整機構３９は、支持ケース３２に回動可能に取り付けられる雄ねじ軸３９ａと、この雄ねじ軸３９ａに螺合して支持ケース３２内に前後スライド移動可能に支持される雌ねじ部材３９ｂからなる。雌ねじ部材３９ｂには当接体３７の突出軸部３７ｄ端部が係合一体化されており、雌ねじ部材３９ｂの移動に合わせて当接体３７も移動することとなる。そして、雄ねじ軸３９ａ端部に形成された操作用のレバーを使用者が操作して雄ねじ軸３９ａを回転させると、この雄ねじ軸３９ａに螺合すると共に支持ケース３２で前後スライド以外の動きを拘束される雌ねじ部材３９ｂが、前後に移動することで、これと一体の当接体３７を前後に移動させ、当接体３７を突出部３４ａに対し位置調整できる仕組みである。
【０１４２】
前記第１の実施形態の場合と同様、当接体３７を突出部３４ａに対し位置調整して、当接体３７に対する突出部３４ａの相対突出量を調整できることから、携帯機器９０のカメラ部９２における保護カバー９３又は対物レンズの位置が、携帯機器筐体９１表面に対し凹状に奥まった位置となっていたり、逆に筐体９１表面より突出した位置となっている場合でも、当接体３７に対し突出部３４ａが突出する状態や、当接体３７に対し突出部３４ａが奥まった位置にある状態にそれぞれ調整して対応させられ、突出部３４ａが保護カバー９３又は対物レンズに当接すると共に、当接体３７が携帯機器筐体９１表面に当接する位置関係が確実に得られる。
【０１４３】
なお、当接体用の位置調整機構は、前記雄ねじ軸３９ａと雌ねじ部材３９ｂによる機構に限られるものではなく、図２６に示すように、位置調整機構として、支持ケース３２に回動可能に取り付けられるピニオンギヤ３９ｃを設け、当接体３７の端部から本体部３０の支持ケース３２内に向け突出形成されるラック部３７ｅとピニオンギヤ３９ｃとが噛合するようにし、ピニオンギヤ３９ｃと一体に形成された操作用のレバーを使用者が操作してピニオンギヤ３９ｃを回転させ、これと噛合するラック部３７ｅを当接体３７ごと支持ケース３２に対し前後に移動させることで、当接体３７を突出部３４ａに対し位置調整する構成とすることもできる。
【０１４４】
（本発明の第４の実施形態）
前記第２の実施形態に係るコンバージョンレンズ装置において、固定具２８他端部の調整体２８ｃは、複数の突出部分を有して固定具２８の他部分に対し回転可能とされ、調整体２８ｃを回転調整して携帯機器９０のカメラ部９２のある側とは反対側の面に当接する突出部分を選択的に替えて、本体部２０と固定具２８他端部との間に携帯機器９０を挟持する際の挟持力を、突出部分の突出量の差に基づく複数段階に調整できる構成としているが、これに限らず、第４の実施形態として、図２７に示すように、固定具４８他端部の調整体４８ｃが、携帯機器９０に当接する略板状の当接部４８ｄと、この当接部４８ｄから突出して固定具４８の他部分に設けられた孔部４８ｅに挿入される突出体４８ｆと、突出体４８ｆの外面に突出体突出方向に所定間隔で並べて複数設けられる凸状の節度感発生部４８ｇとを備える構成とし、調整体４８ｃの当接部４８ｄを固定具４８の他部分に対し近付け又は遠ざけて、いずれかの節度感発生部４８ｇを孔部４８ｅの内周に弾性変形させつつ圧接させて、孔部４８ｅに対する突出体４８ｆの位置を保持させ、携帯機器９０のカメラ部９２のある側とは反対側の面に当接する調整体４８ｃの当接部４８ｄ位置を選択的に変えられるようにすることもできる。
【０１４５】
この場合、本体部４０と固定具４８他端部との間に携帯機器９０を挟持する状態では、孔部４８ｅの内周に圧接する節度感発生部４８ｇは特に変化せず、孔部４８ｅに対する突出体４８ｆの位置を保持して、当接部４８ｄの位置を維持できる。使用者が調整体４８ｃを固定具４８の他部分に対し強制的に動かすと、突出体４８ｆも動いて、孔部４８ｅの内周に圧接する節度感発生部４８ｇが入れ替わり、当接部４８ｄの位置を変えることができる。当接部４８ｄの位置は、節度感発生部４８ｇの配置に対応する複数段階の変化を与えられ、本体部４０と固定具４８他端部との間に携帯機器９０を挟持する際の挟持力を、この当接部４８ｄの位置に基づく複数段階に調整できることとなる。
【０１４６】
節度感発生部４８ｇが入れ替わって新たに孔部４８ｅの内周に圧接し、突出体４８ｆの位置を保持する状態となるごとに、節度感発生部４８ｇの弾性変形を伴い、この弾性変形が節度感を発生させて、調整体４８ｃを動かす使用者に、当接部４８ｄの位置があらかじめ設定された複数のうちの一つに保持されたことを認識させることができる。使用者は当接部４８ｄの位置を節度感を目安として適切に変化させられ、挟持力の調整も確実に行える。
【０１４７】
なお、本体部４０と固定具４８他端部との間に挟持する携帯機器９０が、比較的厚いものである場合、本体部４０と固定具４８他端部との間隔が大きくなって、固定具４８の変形も大きくなる分、固定具４８他端部の向きが携帯機器９０の筐体表面と平行な状態からずれたものとなり、調整体４８ｃの当接部４８ｄと固定具４８の他部分との間隔を単純に一様にすると、携帯機器９０を挟持する上で不都合が生じるが、図２７に示すように、調整体４８ｃの節度感発生部４８ｇの、孔部４８ｅにおける位置関係を各突出体４８ｆごとに調整して、当接部４８ｄを携帯機器９０の筐体表面と平行な向きとすることができ、携帯機器９０をその厚さによらず無理なく挟持する状態が得られることで、本体部４０の安定した支持が確実に行える。
【０１４８】
この他、本体部と固定具他端部との間に携帯機器９０を挟持する際の挟持力を調整するものの別の例として、図２８に示すように、固定具４８他端部の調整体４８ｈが、携帯機器９０に当接する略板状の当接部４８ｉと、この当接部４８ｉから突出して固定具４８の他部分に設けられた雌ねじ穴４８ｋに螺合する雄ねじ軸４８ｊとを備え、当接部４８ｉごと雄ねじ軸４８ｋを雌ねじ穴４８ｋに対し螺動させて、携帯機器９０のカメラ部９２のある側とは反対側の面に当接する調整体４８ｈの当接部４８ｉ位置を連続的に変える構成とすることもできる。この場合、挟持力についても、当接部４８ｉの位置変化に基づき無段階に調整できることとなる。
【０１４９】
（本発明の第５の実施形態）
前記第１の実施形態に係るコンバージョンレンズ装置においては、本体部１０に対し移動可能とされて、本体部１０の突出部１４ａとは別に、携帯機器筐体９１表面に当接する当接体１７が、光学レンズ１１、１２の光軸と略直交する当接面を有する略板状体とされて、突出部１４ａ周囲に配置される構成としているが、これに限らず、第５の実施形態として、図２９に示すように、携帯機器筐体９１表面に当接させる当接体５７が、本体部５０の内部に配設される基部５７ａと、この基部５７ａから後方へ突出して本体部５０外に露出する少なくとも三つ以上の略棒状の当接片５７ｂとを備え、各当接片５７ｂが突出部５４ａ周囲に配置されて、当接片５７ｂ先端を携帯機器筐体９１表面に当接可能とされる構成とすることもできる。
【０１５０】
この場合、当接体５７の基部５７ａは、本体部５０に対し突出部５４ａ突出方向と平行に移動可能に支持される一方、基部５７ａの端部には本体部５０の外部に突出する操作用ツマミ部５７ｄが一体に配設される。この操作用ツマミ部５７ｄを使用者が操作して、基部５７ａを前後に移動させることで、これと一体の各当接片５７ｂを前後に移動させ、当接体５７全体を突出部５４ａに対し位置調整できる仕組みである。そして、この当接体５７の、本体部５０の突出部５４ａに対する位置調整で、当接体５７の各当接片５７ｂ先端に対する突出部５４ａの相対突出量を調整することができる。
【０１５１】
当接体５７のうち、本体部５０内部に位置する基部５７ａの外面には、凸状の節度感発生部（図示を省略）が、本体部５０の突出部５４ａ突出方向に所定間隔で複数並べて設けられ、操作用ツマミ部５７ｄを操作して当接体５７の基部５７ａを本体部５０に対し前後に動かすと、いずれかの節度感発生部を本体部５０の内周に弾性変形させつつ圧接させて、本体部５０に対する基部５７ａの位置を保持させ、当接体５７の携帯電話筐体９１表面に当接する各当接片５７ｂ先端の突出部５４ａに対する位置を選択的に変えることができる。
【０１５２】
本体部５０を携帯機器９０前方に固定している状態では、本体部５０の内周に圧接する節度感発生部は特に変化せず、本体部５０に対する基部５７ａの位置を保持して、携帯機器筐体９１表面に当接する当接体５７の各当接片５７ｂ先端位置を維持できる。使用者が操作用ツマミ部５７ｄを操作して当接体５７を本体部５０に対し強制的に動かすと、本体部５０に対し基部５７ａも動いて、本体部５０の内周に圧接する節度感発生部が入れ替わり、当接体５７の位置を変えることができる。当接体５０の位置は、節度感発生部の配置に対応する複数段階の変化を与えられ、これに伴って当接体５７の各当接片５７ｂ先端に対する突出部５４ａの相対突出量を調整できることから、携帯機器９０のカメラ部９２における保護カバー９３又は対物レンズの位置が、携帯機器筐体９１表面に対し凹状に奥まった位置となっていたり、逆に筐体９１表面より突出した位置となっている場合でも、当接体５７の各当接片５７ｂ先端に対し突出部５４ａが突出する状態や、各当接片５７ｂ先端に対し突出部５４ａが奥まった位置にある状態にそれぞれ調整して対応させられ、突出部５４ａが保護カバー９３又は対物レンズに当接すると共に、各当接片５７ｂ先端が携帯機器筐体９１表面に当接する位置関係が確実に得られる。
【０１５３】
節度感発生部が入れ替わって新たに本体部５０の内周に圧接し、当接体５７の位置を保持する状態となるごとに、節度感発生部の弾性変形を伴い、この弾性変形が節度感を発生させて、操作用ツマミ部５７ｄを操作する使用者に、当接体５７の位置があらかじめ設定された複数のうちの一つに保持されたことを認識させることができる。使用者は当接体５７の位置を節度感を目安として適切に変化させられ、突出部５４ａに対する位置調整も確実に行える。
【０１５４】
なお、本実施形態におけるコンバージョンレンズ装置では、図２９に示すように、本体部５０を携帯機器９０のカメラ部９２前方に保持する固定具５８として、本体部５０に両端部を連結され、中間部分が携帯機器９０のカメラ部９２のある側とは反対側の面に接触状態とされ、締め付け力で本体部５０を携帯機器９０のカメラ部９２に押し付けるようにする可撓材製のベルト状体を用いる構成である。
【０１５５】
このように、本体部を携帯機器９０のカメラ部９２前方に固定する固定具としては、前記第１ないし第４の各実施形態に係るコンバージョンレンズ装置で用いられる、弾性部材からなるもので、本体部に一端部を連結され、他端部が携帯機器のカメラ部のある側とは反対側の面に接し、本体部と他端部との間に携帯機器をクリップ状に挟持して、本体部を携帯機器９０のカメラ部９２前方に固定するような固定具、に限られるものではなく、本実施形態のベルト状体の固定具５８の他にも、携帯機器を取り囲むケース（カバー、ジャケット、バンパー）状に形成され、カメラ部前面にあたる箇所に本体部を位置させるように本体部と連結されるものや、本体部に一部を連結され、他の一部を携帯機器のカメラ部のある面におけるカメラ部から離れた表面部位に、磁力や粘着力をもって固着状態とされ、本体部を携帯機器のカメラ部に押し付ける状態を得るもの、などを固定具として用いるようにしてもかまわない。
【０１５６】
なお、前記第１ないし第５の各実施形態に係るコンバージョンレンズ装置は、本体部の一部を肌に付けて行う肌撮影を対象とした装置構成としているが、これに限られるものではなく、コンバージョンレンズ装置の本体部に内蔵される光学レンズの構成や配置を変えて、携帯機器９０によるその他の近接撮影や広角撮影、望遠撮影に対応したものとすることもできる。また、撮像対象物に光を照射する照明用光源についても、前記各実施形態では、肌撮影に対応する形で、肌のキメを撮像するための照明用ＬＥＤと、肌のシミを撮像するための照明用ＬＥＤをそれぞれ設ける構成としているが、これに限られるものではなく、別の撮像対象物や撮像の状況に対応した一又は複数の光源としたり、単純に撮像対象物側を明るく照らすのみの汎用的な光源を設け、これを使用者の操作で必要に応じて点灯させるようなものとしてもかまわない。
【０１５７】
この他、前記第１ないし第５の各実施形態に係るコンバージョンレンズ装置に関連して、本発明の開示するコンバージョンレンズ装置のさらなる態様について、以下に示す。
【０１５８】
（態様１）
カメラ付きの携帯機器に取り付けてカメラの画角を変化させるコンバージョンレンズ装置において、
コンバージョンレンズをなす一又は複数の光学レンズ、及び、撮像対象物と携帯機器のカメラ部とにそれぞれ面して前記光学レンズへの光路となる複数の窓部を形成されつつ光学レンズを内蔵支持する支持ケース、を少なくとも有する本体部と、
前記本体部に少なくとも一部を連結され、少なくとも他の一部が携帯機器のカメラ部以外の所定表面部位に接触又は固着状態とされ、本体部を携帯機器のカメラ部前方に固定する固定具とを備え、
前記本体部の支持ケースにおける撮像対象物に面する側の前記窓部の近傍部分は、窓部を中心として前記光学レンズの光軸と平行な筒状部とされ、
当該筒状部は、所定の肉厚を有する筒端面部を先端として撮像対象物に接触可能とされ、
前記筒状部の先端をなす端面部のうち、筒外周寄り所定範囲部分に、筒軸方向に突出する凸部を設けることを
特徴とするコンバージョンレンズ装置。
【０１５９】
（態様２）
カメラ付きの携帯機器に取り付けてカメラの画角を変化させるコンバージョンレンズ装置において、
コンバージョンレンズをなす一又は複数の光学レンズ、及び、撮像対象物と携帯機器のカメラ部とにそれぞれ面して前記光学レンズへの光路となる複数の窓部を形成されつつ光学レンズを内蔵支持する支持ケース、を少なくとも有する本体部と、
前記本体部に少なくとも一部を連結され、少なくとも他の一部が携帯機器のカメラ部以外の所定表面部位に接触又は固着状態とされ、本体部を携帯機器のカメラ部前方に固定する固定具とを備え、
前記本体部の支持ケースにおける撮像対象物に面する側の前記窓部の近傍部分は、窓部を中心として前記光学レンズの光軸と平行な筒状部とされ、
当該筒状部は、所定の肉厚を有する筒端面部を先端として撮像対象物に接触可能とされ、
前記筒状部の先端をなす筒端面部を、筒周方向に波状の凹凸が生じた形状に形成することを
特徴とするコンバージョンレンズ装置。
【０１６０】
（態様３）
前記態様１に記載のコンバージョンレンズ装置において、
前記筒状部における凸部が、筒軸方向への突出高さを、筒周方向において連続的且つ周期的に異ならせて、周方向に波状の凹凸が生じた形状として形成されることを
特徴とするコンバージョンレンズ装置。
【０１６１】
（態様４）
カメラ付きの携帯機器に取り付けてカメラの画角を変化させるコンバージョンレンズ装置において、
コンバージョンレンズをなす一又は複数の光学レンズ、及び、撮像対象物と携帯機器のカメラ部とにそれぞれ面して前記光学レンズへの光路となる複数の窓部を形成されつつ光学レンズを内蔵支持する支持ケース、を少なくとも有する本体部と、
前記本体部に少なくとも一部を連結され、少なくとも他の一部が携帯機器のカメラ部以外の所定表面部位に接触又は固着状態とされ、本体部を携帯機器のカメラ部前方に固定する固定具と、
前記本体部の支持ケースに内蔵され、撮像対象物に撮像のための光を照射する照明用光源と、
前記本体部の支持ケースに内蔵され、前記照明用光源の光照射を制御する制御回路部とを備え、
前記本体部の支持ケースにおける撮像対象物に面する側の前記窓部の近傍部分は、窓部を中心として前記光学レンズの光軸と平行な筒状部とされ、
当該筒状部は、支持ケースの他部分に対し光学レンズの光軸と平行に所定範囲移動可能に支持されて、先端部を撮像対象物に接触可能とされ、
前記筒状部が先端側から押されて、支持ケースの他部分に対し所定距離移動すると、接点の開閉状態が変わる所定のスイッチが、支持ケースに内蔵され、
前記制御回路部が、使用者の前記筒状部を押す操作に基づいて前記スイッチの接点開閉状態が変わると、当該開閉状態変化から少なくとも所定時間、照明用光源に撮像対象物に対する光照射を実行させることを
特徴とするコンバージョンレンズ装置。
【０１６２】
（態様５）
前記態様１ないし３のいずれかに記載のコンバージョンレンズ装置において、
前記筒状部は、支持ケースの他部分に対し光学レンズの光軸と平行に所定範囲移動可能に支持され、
前記筒状部が先端側から押されて、支持ケースの他部分に対し所定距離移動すると、接点の開閉状態が変わる所定のスイッチが、支持ケースに内蔵され、
前記制御回路部が、使用者の前記筒状部を押す操作に基づいて前記スイッチの接点開閉状態が変わると、当該開閉状態変化から少なくとも所定時間、照明用光源に撮像対象物に対する光照射を実行させることを
特徴とするコンバージョンレンズ装置。
【０１６３】
（態様６）
カメラ付きの携帯機器に取り付けてカメラの画角を変化させるコンバージョンレンズ装置において、
コンバージョンレンズをなす一又は複数の光学レンズ、及び、撮像対象物と携帯機器のカメラ部とにそれぞれ面して前記光学レンズへの光路となる複数の窓部を形成されつつ光学レンズを内蔵支持する支持ケース、を少なくとも有する本体部と、
前記本体部に少なくとも一部を連結され、少なくとも他の一部が携帯機器のカメラ部以外の所定表面部位に接触又は固着状態とされ、本体部を携帯機器のカメラ部前方に固定する固定具と、
前記本体部の支持ケースに内蔵され、撮像対象物に撮像のための光を照射する照明用光源と、
前記本体部の支持ケースに内蔵され、前記照明用光源の光照射を制御する制御回路部とを備え、
前記本体部の支持ケースにおける撮像対象物に面する側の前記窓部の近傍部分は、窓部を中心として前記光学レンズの光軸と平行な筒状部とされ、
当該筒状部は、支持ケースの他部分に対し光学レンズの光軸と平行に所定範囲移動可能に支持されて、先端部を撮像対象物に接触可能とされ、
前記筒状部が、撮像対象物に接触して相対的に押される状態となり、支持ケースの他部分に対し移動すると、前記制御回路部が、筒状部の移動を検知して、照明用光源に撮像対象物に対する光照射を実行させることを
特徴とするコンバージョンレンズ装置。
【０１６４】
前記態様１によれば、筒状部の先端をなす端面部のうち外縁部分、すなわち、筒外周寄り所定範囲部分が、筒軸方向に突出する凸部となって、筒状部の先端を撮像対象物に付ける場合、端面部外縁の凸部が最初に撮像対象物に接して撮像対象物を押す状態となることで、筒状部先端の撮像対象物との接触部位に囲まれる撮像対象物の領域を広くでき、仮に凸部が無い場合に、平面状の端面部内縁が最初に撮像対象物に接して、この撮像対象物との接触部位に囲まれる撮像対象物の領域が狭いために、変形可能な撮像対象物が筒状部内へ食い込みやすくなるのと比較して、撮像対象物の筒状部内への食い込み量（相対的な盛り上がり量）を抑え、筒状部の範囲に位置して実際に撮像される撮像対象物の曲率を小さくすることができる。
【０１６５】
前記態様２によれば、筒状部の先端をなす筒端面部が、筒周方向に波状の凹凸が生じた形状に形成され、筒軸方向への突出高さを異ならせていることから、撮像対象物への接触状態で、突出高さの低い凹部分で撮像対象物への圧力を逃がして、接触圧を分散することができ、接触に伴う撮像対象物の変形を筒状部の範囲全体としては緩和して、撮像対象物の曲率を小さくでき、撮像対象物をできるだけ起伏が少なく平坦に近い状態で撮像するようにして、撮像対象物の撮像画像を、その表面の状態を判別しやすい適切なものとすることができる。
【０１６６】
前記態様３によれば、筒状部における凸部を、周方向に波状の凹凸が生じた形状として形成し、筒状部の先端を撮像対象物に付ける場合に、凸部が筒周方向においてそれぞれ突出高さを異ならせることから、撮像対象物への接触状態で、突出高さの低い凹部分で撮像対象物への圧力を逃がして、接触圧を分散することができ、接触に伴う撮像対象物の変形を筒状部の範囲全体としては緩和して、撮像対象物の曲率を小さくでき、撮像対象物をできるだけ起伏が少なく平坦に近い状態で撮像するようにして、撮像対象物の撮像画像を、その表面の状態を判別しやすい適切なものとすることができる。
【０１６７】
前記態様４、５によれば、照明用光源の撮像対象物に対する光照射実行に係るスイッチが、先端側から押される筒状部の移動に伴って接点の開閉状態を変えるものとされて、使用者が筒状部先端を押してスイッチを操作することにより、例えば使用者が指で操作する場合、筒状部を押す指の腹が筒状部の内側にはまり込む状態となるなど、筒状部に対し位置ずれが生じにくい状態で操作を行えることとなり、筒状部を押す動作によるスイッチ操作を確実に実行させられる。また、筒状部をスイッチの操作手段として用いることで、支持ケース表面に、使用者が光照射を指示操作するためのスイッチ等を、外部から操作可能な露出状態で別途設けずに済むこととなり、支持ケースを簡略でデザイン性に優れたものにできる。
【０１６８】
特に、前記態様５によれば、使用者が筒状部先端を押してスイッチを操作することに伴い、筒状部の先端をなす端面部のうち筒外周寄り部分を凸部としている場合には、例えば筒状部の先端を指で押す際、端面部の凸部表面にも指が接触できる分、指の筒状部先端との接触面積を大きくすることができ、指で筒状部を押す際に指に相対的に加わる反力を分散させ、指に力が集中するのに伴う痛みを抑えられる。また、筒状部の先端の端面部が、筒周方向に波状の凹凸が生じた形状とされる場合には、例えば筒状部の先端を指で押す際、周方向の凹凸各部に指を接触させて、指が筒状部からより一層ずれにくくなり、筒状部を押して行うスイッチ操作の操作性をさらに向上させられる。
【０１６９】
前記態様６によれば、移動可能に支持される筒状部が、先端部に接触した撮像対象物に相対的に押される状態となって、支持ケースの他部分に対し移動すると、この筒状部の移動を制御回路部がスイッチやセンサ等により検知し、照明用光源に光照射を実行させることにより、使用者は筒状部の先端を撮像対象物に接触させるようにするだけで、照明用光源を光照射状態とすることができ、使用者の手等による直接的なスイッチ操作が必要なく、スイッチの操作方法をあらかじめ習得したりせずに簡単に使用でき、使い勝手の点で優れたものとなる。また、支持ケース表面に、使用者が光照射を指示操作するためのスイッチ他を外部から操作可能な露出状態で設けずに済み、支持ケースを簡略でデザイン性に優れたものとすることができる。
【符号の説明】
【０１７０】
１、２          コンバージョンレンズ装置
１０、２０、３０、４０、５０    本体部
１１ａ、１１ｂ、２１ａ、２１ｂ  光学レンズ
１２、２２      支持ケース
１２ａ、１２ｂ  窓部
１３、２３      バレル部
１３ａ          筒状部
１４、２４      副支持部材
１４ａ、２４ａ  突出部
１４ｂ、２４ｂ  突出片
１４ｃ、１７ａ  環状体
１５、２５      肌側筒状部
１５ａ          内筒部
１５ｂ          外筒部
１５ｃ          凸部
１５ｄ、１５ｆ  凹部分
１５ｅ          凸部分
１６、２６      主支持部材
１６ｂ          ばね
１６ｃ、２６ｃ  スイッチ
１６ｄ、１６ｅ  ＬＥＤ
１６ｆ、２６ｆ  制御回路
１７、２７、３７、４７、５７    当接体
１８、２８、３８、４８、５８    固定具
１８ａ          クッション部
２２ａ、２２ｂ  窓部
２６ｄ、２６ｅ  ＬＥＤ
２７ａ          軟質材
２８ｃ          調整体
２８ｄ          環状部
３２            支持ケース
３４ａ          突出部
３９            位置調整機構
３９ａ          雄ねじ軸
３９ｂ          雌ねじ部材
４８ｃ、４８ｈ  調整体
４８ｄ、４８ｉ  当接部
４８ｅ          孔部
４８ｆ          突出体
４８ｇ          節度感発生部
４８ｊ          雄ねじ軸
４８ｋ          雌ねじ穴
５７ａ          基部
５７ｂ          当接片
５７ｄ          操作用ツマミ部
７０、７１      空間
９０            携帯機器
９１            筐体
９２            カメラ部
９３            保護カバー
ｄ１、ｄ２      段差
【図１】
2015055750.tif 000003
【図２】
2015055750.tif 000004
【図３】
2015055750.tif 000005
【図４】
2015055750.tif 000006
【図５】
2015055750.tif 000007
【図６】
2015055750.tif 000008
【図７】
2015055750.tif 000009
【図８】
2015055750.tif 000010
【図９】
2015055750.tif 000011
【図１０】
2015055750.tif 000012
【図１１】
2015055750.tif 000013
【図１２】
2015055750.tif 000014
【図１３】
2015055750.tif 000015
【図１４】
2015055750.tif 000016
【図１５】
2015055750.tif 000017
【図１６】
2015055750.tif 000018
【図１７】
2015055750.tif 000019
【図１８】
2015055750.tif 000020
【図１９】
2015055750.tif 000021
【図２０】
2015055750.tif 000022
【図２１】
2015055750.tif 000023
【図２２】
2015055750.tif 000024
【図２３】
2015055750.tif 000025
【図２４】
2015055750.tif 000026
【図２５】
2015055750.tif 000027
【図２６】
2015055750.tif 000028
【図２７】
2015055750.tif 000029
【図２８】
2015055750.tif 000030
【図２９】
2015055750.tif 000031